(57)【特許請求の範囲】
【請求項１】
立体視可能な映像である立体映像に対し、前記立体映像とは別の映像である再生装置映像を重畳して立体映像信号を生成し出力することができる再生装置であって、
自装置に接続され、前記立体映像に対し前記立体映像とは別の映像である装置映像を重畳する装置が、当該重畳の際に前記装置映像に付与する立体視深度である装置映像深度に関する情報を取得する取得部と、
前記取得部が取得した前記装置映像深度に関する情報にもとづいて、前記再生装置映像に前記再生装置映像深度を付与し前記立体映像に重畳することにより前記立体映像信号を生成する重畳部と、
前記立体映像信号を、前記装置へ送信する送信部と、を有する再生装置。
【請求項２】
前記重畳部は、前記装置映像深度に関する情報にもとづいて、前記再生装置映像が立体視において前記装置映像と同一の奥行きで、または、より奥に見えるように、前記再生装置映像に前記再生装置映像深度を付与し前記立体映像に重畳する、請求項１に記載の再生装置。
【請求項３】
さらに、前記重畳部が付与した前記再生装置映像深度に関する情報を、前記装置へ通知する通知部を有する、請求項１に記載の再生装置。
【請求項４】
立体視可能な映像である立体映像に対し、前記立体映像とは別の映像である再生装置映像を重畳して立体映像信号を生成し出力することができる再生装置であって、
前記立体映像に前記再生装置映像を重畳することにより前記立体映像信号を生成する重畳部と、
自装置に接続され、前記立体映像に対し前記立体映像とは別の映像である装置映像を重畳する装置に対し、前記再生装置映像の立体視深度に関する情報および前記立体映像信号を送信する送信部と、を有する再生装置。
【請求項５】
立体視可能な映像である立体映像に対し、前記立体映像とは別の映像である表示装置映像を重畳して表示することができる表示装置であって、
前記立体映像を含む第１立体映像信号を受信する受信部と、
自装置に接続され、前記立体映像に対し前記立体映像とは別の映像である装置映像を重畳して前記第１立体映像信号を出力する装置が、当該重畳の際に前記装置映像に付与する立体視深度である装置映像深度に関する情報を取得する取得部と、
前記取得部が取得した前記装置映像深度に関する情報にもとづいて、前記表示装置映像に前記表示装置映像深度を付与し前記立体映像に重畳することにより第２立体映像信号を生成する重畳部と、
前記第２立体映像信号にもとづいて映像を表示する表示部と、を有する表示装置。
【請求項６】
前記重畳部は、前記装置映像深度に関する情報にもとづいて、前記表示装置映像が立体視において前記装置映像と同一の奥行きで、または、より手前に見えるように、前記表示装置映像に前記表示装置映像深度を付与し前記立体映像に重畳する、請求項５に記載の表示装置。
【請求項７】
さらに、前記重畳部が付与した前記表示装置映像深度に関する情報を、前記装置へ通知する通知部を有する、請求項５に記載の表示装置。
【請求項８】
立体視可能な映像である立体映像に対し、前記立体映像とは別の映像である表示装置映像を重畳して表示することができる表示装置であって、
第１立体映像信号に含まれる立体映像に前記表示装置映像を重畳することにより第２立体映像信号を生成する重畳部と、
自装置に接続され、前記立体映像に対し前記立体映像とは別の映像である装置映像を重畳して前記第１立体映像信号を出力する装置に対し、前記表示装置映像の立体視深度に関する情報を送信する送信部と、を有する表示装置。
【請求項９】
再生装置から立体視可能な映像である立体映像を含んだ第１立体映像信号を受信し、前記立体映像とは別の映像である増幅装置映像を前記立体映像に重畳して第２立体映像信号を生成し、表示装置へ送信することができる増幅装置であって、
前記第１立体映像信号を受信する受信部と、
前記立体映像に対し前記立体映像とは別の映像である表示装置映像を重畳する表示装置が、当該重畳の際に前記表示装置映像に付与する立体視深度である表示装置映像深度に関する情報を取得する取得部と、
前記取得部が取得した前記表示装置映像深度に関する情報にもとづいて、前記増幅装置映像に前記増幅装置映像深度を付与し前記立体映像に重畳することにより前記第２立体映像信号を生成する重畳部と、
前記第２立体映像信号を、前記表示装置へ送信する送信部と、を有する増幅装置。
【請求項１０】
前記重畳部は、前記表示装置映像深度に関する情報にもとづいて、前記増幅装置映像が立体視において前記表示装置映像と同一の奥行きで、または、より奥に見えるように、前記増幅装置映像に前記増幅装置映像深度を付与し前記立体映像に重畳する、請求項９に記載の増幅装置。
【請求項１１】
さらに、前記重畳部が付与した前記増幅装置映像深度に関する情報を、少なくとも前記再生装置および前記表示装置のいずれかへ通知する通知部を有する、請求項９に記載の増幅装置。
【請求項１２】
再生装置から立体視可能な映像である立体映像を含んだ第１立体映像信号を受信し、前記立体映像とは別の映像である増幅装置映像を前記立体映像に重畳して第２立体映像信号を生成し、表示装置へ送信することができる増幅装置であって、
前記第１立体映像信号を受信する受信部と、
前記第１立体映像に前記増幅装置映像を重畳することにより前記第２立体映像信号を生成する重畳部と、
前記第２立体映像信号を、前記表示装置へ送信する送信部と、
前記増幅装置映像の立体視深度に関する情報を、少なくとも前記再生装置および前記表示装置のいずれかへ通知する通知部と、を有する増幅装置。
【請求項１３】
再生装置から立体視可能な映像である立体映像を含んだ第１立体映像信号を受信し、前記立体映像とは別の映像である増幅装置映像を前記立体映像に重畳して第２立体映像信号を生成し、表示装置へ送信することができる増幅装置であって、
前記第１立体映像信号を受信する受信部と、
前記立体映像に対し前記立体映像とは別の映像である再生装置映像を重畳する再生装置が、当該重畳の際に前記再生装置映像に付与する立体視深度である再生装置映像深度に関する情報を取得する取得部と、
前記取得部が取得した前記再生装置映像深度に関する情報にもとづいて、前記増幅装置映像に前記増幅装置映像深度を付与し前記立体映像に重畳することにより前記第２立体映像信号を生成する重畳部と、
前記第２立体映像信号を、前記表示装置へ送信する送信部と、を有する増幅装置。
【請求項１４】
前記重畳部は、前記再生装置映像深度に関する情報にもとづいて、前記増幅装置映像が立体視において前記再生装置映像と同一の奥行きで、または、より手前に見えるように、前記増幅装置映像に前記増幅装置映像深度を付与し前記立体映像に重畳する、請求項１３に記載の増幅装置。
【請求項１５】
さらに、前記重畳部が付与した前記増幅装置映像深度に関する情報を、少なくとも前記再生装置および前記表示装置のいずれかへ通知する通知部を有する、請求項１３に記載の増幅装置。
【請求項１６】
再生装置と、表示装置と、増幅装置と、を有する映像システムであって、
前記再生装置は、立体視可能な映像である立体映像に対し、前記立体映像とは別の映像である再生装置映像を重畳して第１立体映像信号を生成し出力することができる再生装置であって、
自装置に接続され、前記立体映像に対し前記立体映像とは別の映像である増幅装置映像を重畳する増幅装置が、当該重畳の際に前記増幅装置映像に付与する立体視深度である増幅装置映像深度に関する情報を取得する取得部と、
前記取得部が取得した前記増幅装置映像深度に関する情報にもとづいて、前記再生装置映像に前記再生装置映像深度を付与し前記立体映像に重畳することにより前記第１立体映像信号を生成する重畳部と、
前記第１立体映像信号を、前記増幅装置へ送信する送信部と、を有し、
前記増幅装置は、前記再生装置から前記第１立体映像信号を受信し、前記立体映像とは別の映像である増幅装置映像を前記立体映像に重畳して第２立体映像信号を生成し、表示装置へ送信することができる増幅装置であって、
前記第１立体映像信号を受信する受信部と、
前記立体映像に対し前記立体映像とは別の映像である表示装置映像を重畳する表示装置が、当該重畳の際に前記表示装置映像に付与する立体視深度である表示装置映像深度に関する情報を取得する取得部と、
前記取得部が取得した前記表示装置映像深度に関する情報にもとづいて、前記増幅装置映像に前記増幅装置映像深度を付与し前記立体映像に重畳することにより前記第２立体映像信号を生成する重畳部と、
前記第２立体映像信号を、前記表示装置へ送信する送信部と、を有し、
前記表示装置は、前記増幅装置から前記第２立体映像信号を受信し、前記立体映像とは別の映像である表示装置映像を前記立体映像に重畳して表示することができる表示装置であって、
前記第２立体映像信号を受信する受信部と、
前記表示装置映像に前記表示装置映像深度を付与し前記立体映像に重畳することにより第３立体映像信号を生成する重畳部と、
前記第３立体映像信号にもとづいて映像を表示する表示部と、を有する、
映像システム。
【請求項１７】
前記再生装置の重畳部は、前記増幅装置映像深度に関する情報にもとづいて、前記再生装置映像が立体視において前記増幅装置映像と同一の奥行きで、または、より奥に見えるように、前記再生装置映像に前記再生装置映像深度を付与し前記立体映像に重畳し、
前記増幅装置の重畳部は、前記表示装置映像深度に関する情報にもとづいて、前記増幅装置映像が立体視において前記表示装置映像と同一の奥行きで、または、より奥に見えるように、前記増幅装置映像に前記増幅装置映像深度を付与し前記立体映像に重畳する、請求項１６に記載の映像システム。
【請求項１８】
前記増幅装置は、さらに、前記再生装置に対し、前記増幅装置映像深度に関する情報を通知する通知部を有する、請求項１６に記載の映像システム。
【請求項１９】
前記表示装置は、さらに、前記増幅装置に対し、前記表示装置映像深度に関する情報を送信する送信部を有する、請求項１６に記載の映像システム。
【請求項２０】
再生装置と、表示装置と、増幅装置と、を有する映像システムであって、
前記再生装置は、立体視可能な映像である立体映像に対し、前記立体映像とは別の映像である再生装置映像を重畳して第１立体映像信号を生成し出力することができる再生装置であって、
前記再生装置映像に所定の立体視深度である再生装置映像深度を付与し前記立体映像に重畳することにより前記第１立体映像信号を生成する重畳部と、
前記第１立体映像信号を、前記増幅装置へ送信する送信部と、を有し、
前記増幅装置は、前記再生装置から前記第１立体映像信号を受信し、前記立体映像とは別の映像である増幅装置映像を前記立体映像に重畳して第２立体映像信号を生成し、表示装置へ送信することができる増幅装置であって、
前記第１立体映像信号を受信する受信部と、
前記再生装置映像深度に関する情報を取得する取得部と、
前記取得部が取得した前記再生装置映像深度に関する情報にもとづいて、前記増幅装置映像に前記増幅装置映像深度を付与し前記立体映像に重畳することにより前記第２立体映像信号を生成する重畳部と、
前記第２立体映像信号を、前記表示装置へ送信する送信部と、を有し、
前記表示装置は、前記増幅装置から前記第２立体映像信号を受信し、前記立体映像とは別の映像である表示装置映像を前記立体映像に重畳して表示することができる表示装置であって、
前記第２立体映像信号を受信する受信部と、
前記増幅装置映像深度に関する情報を取得する取得部と、
前記取得部が取得した前記増幅装置映像深度に関する情報にもとづいて、前記表示装置映像に前記表示装置映像深度を付与し前記立体映像に重畳することにより第３立体映像信号を生成する重畳部と、
前記第３立体映像信号にもとづいて映像を表示する表示部と、を有する、
映像システム。
【請求項２１】
前記増幅装置の重畳部は、前記再生装置映像深度に関する情報にもとづいて、前記増幅装置映像が立体視において前記再生装置映像と同一の奥行きで、または、より手前に見えるように、前記増幅装置映像に前記増幅装置映像深度を付与し前記立体映像に重畳し、
前記表示装置の重畳部は、前記増幅装置映像深度に関する情報にもとづいて、前記表示装置映像が立体視において前記増幅装置映像と同一の奥行きで、または、より手前に見えるように、前記表示装置映像に前記表示装置映像深度を付与し前記立体映像に重畳する、請求項２０に記載の映像システム。
【請求項２２】
前記再生装置の送信部は、前記増幅装置に対し、前記第１立体映像信号に加え、前記再生装置映像深度に関する情報を送信する、請求項２０に記載の映像システム。
【請求項２３】
前記増幅装置の送信部は、前記表示装置に対し、前記第２立体映像信号に加え、前記増幅装置映像深度に関する情報を送信する、請求項２０に記載の映像システム。
【発明の詳細な説明】
【技術分野】
【０００１】
技術分野は、映像再生表示技術に関し、特に、立体映像の再生表示においてオン・スクリーン・ディスプレイ（On Screen Display、ＯＳＤ）を生成し表示する再生装置、増幅装置、表示装置、および、映像システムに関する。
【背景技術】
【０００２】
映像を立体表示するための表示装置や、立体映像を再生するための再生装置などが製品化されつつある。また、観察者が表示装置や再生装置を容易に使用できるように、表示画面上にオン・スクリーン・ディスプレイ（ＯＳＤ）を表示させることが知られている。一般にＯＳＤは、再生装置、増幅器（ＡＶアンプ）、表示装置といった機器の状態や再生付加情報等を文字情報やアイコンで使用者に通知するための表示情報である。ＯＳＤは、再生されている主映像の一部分に上描きされて表示される。
【０００３】
特許文献１には、立体表示属性情報を含む文字情報が伝送されると、文字情報デコーダにおいてその情報を立体映像表示用にデコードし、デコードした映像を合成器にて主画像と合成して立体表示用の表示装置に映像を供給する構成が開示されている。これにより、文字表示も立体表示化され、臨場感のある映像が提供される。
【先行技術文献】
【特許文献】
【０００４】
【特許文献１】特開平１１−２８９５５５号公報
【発明の概要】
【発明が解決しようとする課題】
【０００５】
しかしながら、再生装置や表示装置といった複数の装置によりＯＳＤ（装置映像）が映像に上描きされ重畳的に表示される場合、後から重畳されるＯＳＤ（装置映像）は、それよりも以前に重畳されたＯＳＤ（装置映像）を含んだ映像に上描きされる。よって、後から重畳されたＯＳＤ（装置映像）の立体表示位置（立体視における奥行き感）が、それよりも以前に重畳されたＯＳＤ（装置映像）の立体表示位置よりも奥にあると、映像表示と立体位置関係に矛盾が生じてしまい、観察者に違和感を覚えさせてしまうという問題点があった。
【０００６】
上記従来技術における問題点を鑑み、観察者にとってより視認性が高い装置映像表示を実現する再生装置、表示装置、および、映像システムを提供する。
【課題を解決するための手段】
【０００７】
第１の態様は、立体視可能な映像である立体映像に対し、立体映像とは別の映像である再生装置映像を重畳して立体映像信号を生成し出力することができる再生装置であって、自装置に接続され、立体映像に対し立体映像とは別の映像である装置映像を重畳する装置が、当該重畳の際に装置映像に付与する立体視深度である装置映像深度に関する情報を取得する取得部と、取得部が取得した装置映像深度に関する情報にもとづいて、再生装置映像に再生装置映像深度を付与し立体映像に重畳することにより立体映像信号を生成する重畳部と、立体映像信号を、装置へ送信する送信部と、を有する再生装置である。
【０００８】
第２の態様は、立体視可能な映像である立体映像に対し、立体映像とは別の映像である再生装置映像を重畳して立体映像信号を生成し出力することができる再生装置であって、立体映像に再生装置映像を重畳することにより立体映像信号を生成する重畳部と、自装置に接続され、立体映像に対し立体映像とは別の映像である装置映像を重畳する装置に対し、再生装置映像の立体視深度に関する情報および立体映像信号を送信する送信部と、を有する再生装置である。
【０００９】
第３の態様は、立体視可能な映像である立体映像に対し、立体映像とは別の映像である表示装置映像を重畳して表示することができる表示装置であって、立体映像を含む第１立体映像信号を受信する受信部と、自装置に接続され、立体映像に対し立体映像とは別の映像である装置映像を重畳して第１立体映像信号を出力する装置が、当該重畳の際に装置映像に付与する立体視深度である装置映像深度に関する情報を取得する取得部と、取得部が取得した装置映像深度に関する情報にもとづいて、表示装置映像に表示装置映像深度を付与し立体映像に重畳することにより第２立体映像信号を生成する重畳部と、第２立体映像信号にもとづいて映像を表示する表示部と、を有する表示装置である。
【００１０】
第４の態様は、立体視可能な映像である立体映像に対し、立体映像とは別の映像である表示装置映像を重畳して表示することができる表示装置であって、第１立体映像信号に含まれる立体映像に表示装置映像を重畳することにより第２立体映像信号を生成する重畳部と、自装置に接続され、立体映像に対し立体映像とは別の映像である装置映像を重畳して第１立体映像信号を出力する装置に対し、表示装置映像の立体視深度に関する情報を送信する送信部と、を有する表示装置である。
【００１１】
第５の態様は、再生装置から立体視可能な映像である立体映像を含んだ第１立体映像信号を受信し、立体映像とは別の映像である増幅装置映像を立体映像に重畳して第２立体映像信号を生成し、表示装置へ送信することができる増幅装置であって、第１立体映像信号を受信する受信部と、立体映像に対し立体映像とは別の映像である表示装置映像を重畳する表示装置が、当該重畳の際に表示装置映像に付与する立体視深度である表示装置映像深度に関する情報を取得する取得部と、取得部が取得した表示装置映像深度に関する情報にもとづいて、増幅装置映像に増幅装置映像深度を付与し立体映像に重畳することにより第２立体映像信号を生成する重畳部と、第２立体映像信号を、表示装置へ送信する送信部と、を有する増幅装置である。
【００１２】
第６の態様は、再生装置から立体視可能な映像である立体映像を含んだ第１立体映像信号を受信し、立体映像とは別の映像である増幅装置映像を立体映像に重畳して第２立体映像信号を生成し、表示装置へ送信することができる増幅装置であって、第１立体映像信号を受信する受信部と、第１立体映像に増幅装置映像を重畳することにより第２立体映像信号を生成する重畳部と、第２立体映像信号を、表示装置へ送信する送信部と、増幅装置映像の立体視深度に関する情報を、少なくとも再生装置および表示装置のいずれかへ通知する通知部と、を有する増幅装置である。
【００１３】
第７の態様は、再生装置から立体視可能な映像である立体映像を含んだ第１立体映像信号を受信し、立体映像とは別の映像である増幅装置映像を立体映像に重畳して第２立体映像信号を生成し、表示装置へ送信することができる増幅装置であって、第１立体映像信号を受信する受信部と、立体映像に対し立体映像とは別の映像である再生装置映像を重畳する再生装置が、当該重畳の際に再生装置映像に付与する立体視深度である再生装置映像深度に関する情報を取得する取得部と、取得部が取得した再生装置映像深度に関する情報にもとづいて、増幅装置映像に増幅装置映像深度を付与し立体映像に重畳することにより第２立体映像信号を生成する重畳部と、第２立体映像信号を、表示装置へ送信する送信部と、を有する増幅装置である。
【００１４】
第８の態様は、再生装置と、表示装置と、増幅装置と、を有する映像システムであって、再生装置は、立体視可能な映像である立体映像に対し、立体映像とは別の映像である再生装置映像を重畳して第１立体映像信号を生成し出力することができる再生装置であって、自装置に接続され、立体映像に対し立体映像とは別の映像である増幅装置映像を重畳する増幅装置が、当該重畳の際に増幅装置映像に付与する立体視深度である増幅装置映像深度に関する情報を取得する取得部と、取得部が取得した増幅装置映像深度に関する情報にもとづいて、再生装置映像に再生装置映像深度を付与し立体映像に重畳することにより第１立体映像信号を生成する重畳部と、第１立体映像信号を、増幅装置へ送信する送信部と、を有し、増幅装置は、再生装置から第１立体映像信号を受信し、立体映像とは別の映像である増幅装置映像を立体映像に重畳して第２立体映像信号を生成し、表示装置へ送信することができる増幅装置であって、第１立体映像信号を受信する受信部と、立体映像に対し立体映像とは別の映像である表示装置映像を重畳する表示装置が、当該重畳の際に表示装置映像に付与する立体視深度である表示装置映像深度に関する情報を取得する取得部と、取得部が取得した表示装置映像深度に関する情報にもとづいて、増幅装置映像に増幅装置映像深度を付与し立体映像に重畳することにより第２立体映像信号を生成する重畳部と、第２立体映像信号を、表示装置へ送信する送信部と、を有し、表示装置は、増幅装置から第２立体映像信号を受信し、立体映像とは別の映像である表示装置映像を立体映像に重畳して表示することができる表示装置であって、第２立体映像信号を受信する受信部と、表示装置映像に表示装置映像深度を付与し立体映像に重畳することにより第３立体映像信号を生成する重畳部と、第３立体映像信号にもとづいて映像を表示する表示部と、を有する、映像システムである。
【００１５】
第９の態様は、再生装置と、表示装置と、増幅装置と、を有する映像システムであって、再生装置は、立体視可能な映像である立体映像に対し、立体映像とは別の映像である再生装置映像を重畳して第１立体映像信号を生成し出力することができる再生装置であって、再生装置映像に所定の立体視深度である再生装置映像深度を付与し立体映像に重畳することにより第１立体映像信号を生成する重畳部と、第１立体映像信号を、増幅装置へ送信する送信部と、を有し、増幅装置は、再生装置から第１立体映像信号を受信し、立体映像とは別の映像である増幅装置映像を立体映像に重畳して第２立体映像信号を生成し、表示装置へ送信することができる増幅装置であって、第１立体映像信号を受信する受信部と、再生装置映像深度に関する情報を取得する取得部と、取得部が取得した再生装置映像深度に関する情報にもとづいて、増幅装置映像に増幅装置映像深度を付与し立体映像に重畳することにより第２立体映像信号を生成する重畳部と、第２立体映像信号を、表示装置へ送信する送信部と、を有し、表示装置は、増幅装置から第２立体映像信号を受信し、立体映像とは別の映像である表示装置映像を立体映像に重畳して表示することができる表示装置であって、第２立体映像信号を受信する受信部と、増幅装置映像深度に関する情報を取得する取得部と、取得部が取得した増幅装置映像深度に関する情報にもとづいて、表示装置映像に表示装置映像深度を付与し立体映像に重畳することにより第３立体映像信号を生成する重畳部と、第３立体映像信号にもとづいて映像を表示する表示部と、を有する、映像システムである。
【発明の効果】
【００１６】
再生装置は、増幅装置や表示装置といった自装置に接続される装置の装置映像の奥行き感にもとづいて、自装置の装置映像の奥行き感を決定することにより、観察者にとってより視認性が高いＯＳＤを表示することができる。
【００１７】
表示装置は、再生装置や増幅装置といった自装置に接続される装置の装置映像の奥行き感にもとづいて、自装置の装置映像の奥行き感を決定することにより、観察者にとってより視認性が高いＯＳＤを表示することができる。
【００１８】
増幅装置は、再生装置や表示装置といった自装置に接続される装置の装置映像の奥行き感にもとづいて、自装置の装置映像の奥行き感を決定することにより、観察者にとってより視認性が高いＯＳＤを表示することができる。
【００１９】
上述の再生装置、増幅装置、および、表示装置を有する映像システムにおいては、他の装置の装置映像の奥行き感にもとづいて、自装置の装置映像の奥行き感が決定されるため、観察者にとってより視認性が高いＯＳＤを表示することができる。
【図面の簡単な説明】
【００２０】
【図１】第１の実施の形態による再生装置および表示装置の構成を示すブロック図
【図２Ａ】第１の実施の形態による再生装置の動作にかかるフローチャート
【図２Ｂ】第１の実施の形態による表示装置の動作にかかるフローチャート
【図３】立体表示における深度（奥行き感）の原理を説明する模式図
【図４】第１の実施の形態におけるＨＤＭＩ信号のデータ構造を示す模式図
【図５】複数のＯＳＤの各表示深度を示す模式図
【図６】第２の実施の形態による再生装置と表示装置の構成を示すブロック図
【図７Ａ】第２の実施の形態による再生装置の動作にかかるフローチャート
【図７Ｂ】第２の実施の形態による表示装置の動作にかかるフローチャート
【図８】第２の実施の形態におけるＨＤＭＩ信号のデータ構造を示す模式図
【図９】複数のＯＳＤの各表示深度を示す模式図
【図１０】第３の実施の形態による映像システムの構成を示すブロック図
【図１１Ａ】第３の実施の形態による増幅装置の動作にかかるフローチャート
【図１１Ｂ】第３の実施の形態による再生装置の動作にかかるフローチャート
【図１１Ｃ】第３の実施の形態による表示装置の動作にかかるフローチャート
【図１２】第３の実施の形態におけるＨＤＭＩ信号のデータ構造を示す模式図
【図１３】第３の実施の形態におけるＨＤＭＩ信号のデータ構造を示す模式図
【図１４】複数のＯＳＤの各表示深度を示す模式図
【図１５】第４の実施の形態による映像システムの構成を示すブロック図
【図１６Ａ】第４の実施の形態による再生装置の動作にかかるフローチャート
【図１６Ｂ】第４の実施の形態による増幅装置の動作にかかるフローチャート
【図１６Ｃ】第４の実施の形態による表示装置の動作にかかるフローチャート
【図１７】第４の実施の形態におけるＨＤＭＩ信号のデータ構造を示す模式図
【図１８】第４の実施の形態におけるＨＤＭＩ信号のデータ構造を示す模式図
【図１９】複数のＯＳＤの各表示深度を示す模式図
【図２０】第５の実施の形態による映像システムの構成を示すブロック図
【図２１Ａ】第５の実施の形態による再生装置の動作にかかるフローチャート
【図２１Ｂ】第５の実施の形態による表示装置の動作にかかるフローチャート
【図２２】複数のＯＳＤの各表示深度を示す模式図
【図２３】第５の実施の形態におけるＨＤＭＩ信号のデータ構造を示す模式図
【発明を実施するための形態】
【００２１】
以下、実施の形態について、添付の図面を参照して詳細に説明する。
【００２２】
１．第１の実施の形態
以下、第１の実施の形態による再生装置および表示装置について説明する。本実施形態における再生装置および表示装置は、図１に示された内部構成図に基づき、工業的に生産することができる。
【００２３】
１−１．構成について
図１は、第１の実施の形態による第１の再生装置１００と第１の表示装置２００の内部構成を示すブロック図である。本図において、第１の再生装置１００は、光ディスク１を再生することができる映像再生装置である。第１の再生装置１００は、光ピックアップ２、モータ３、復調回路４、第１のＯＳＤ付加回路５、第１のＣＰＵ（Central Processing Unit）６、第１のＨＤＭＩ（High Definition Multimedia Interface）送信回路７、第１の出力端子８、第１のリモコン９を有する。
【００２４】
第１の表示装置２００は、第１の入力端子２０１、第１のＥＤＩＤ（Extended Display ID）２０２、第１のＨＤＭＩ受信回路２０３、第２のＯＳＤ付加回路２０４、第２のＣＰＵ２０５、表示パネル２０６、めがね制御回路２０７、立体視めがね２０８、第２のリモコン２０９、第１のオーディオアンプ２１０、第１のスピーカ２１１を有する。
【００２５】
また、第１の再生装置１００の第１の出力端子８と第１の表示装置２００の第１の入力端子２０１は、第１のケーブル１０で接続される。
【００２６】
光ディスク１には、ＭＰＥＧ（Moving Picture Experts Group）４圧縮された立体映像信号と音声信号が記録されている。
【００２７】
光ピックアップ２は、光ディスク１に記録された信号を電気的信号に変換する。
【００２８】
モータ３は、光ディスク１を再生に適した速度で回転させる。
【００２９】
復調回路４は、光ピックアップ２の出力を入力し、当該入力について誤り訂正などを行い、立体映像信号と音声信号とを復調する。後述するが、第１の再生装置１００は、ＨＤＭＩ伝送路を通じて非圧縮のフレーム画像をテレビに送信する。復調回路４は、ＭＰＥＧ４符号化方式で符号化されたフレーム画像に対する復号処理を行い、フレーム画像を構成する映像信号を生成し出力する。ＭＰＥＧ４符号化方式で符号化されたフレーム画像に対する復号に必要なデマルチプレクサやビデオデコーダは、復調回路４内に実装されている。
【００３０】
第１のＯＳＤ付加回路５は、復調回路４が出力する立体映像信号に含まれる左目映像および右目映像それぞれの映像信号に、文字やアイコンで構成される情報（ＯＳＤ情報）の映像（以下、「ＯＳＤ」とも略称する。）を上描き（スーパーインポーズ）して出力する。
【００３１】
第１のＣＰＵ６は、第１の再生装置１００を制御するマイクロプロセッサである。第１のＣＰＵ６は、第１のＯＳＤ付加回路５を制御するとともに、第１のリモコン９から送られる使用者の操作や復調回路４によって得られる再生情報に基づき、必要に応じてＯＳＤ情報を生成する。
【００３２】
第１のＨＤＭＩ送信回路７は、第１のＯＳＤ付加回路５の立体映像出力や、復調回路４の音声出力等をＨＤＭＩ形式のディジタル映像信号に変調し、第１の出力端子８より、第１の表示装置２００へ出力する。
【００３３】
第１の出力端子８は、ＨＤＭＩ規格に準拠した映像・音声出力端子であり、その中にはディジタル変調された映像・音声信号伝送路と共に、ＶＥＳＡ（Video Electronics Standard Association）／Ｅ−ＤＤＣ（Enhanced Display Data Channel）及びＥＩＡ（Electronics Industries Association）／ＣＥＡ（Consumer Electronics Association）８６１−Ｄ両規格で規定される相互通信用のシリアル伝送路が含まれている。
【００３４】
第１のリモコン９は使用者によって操作され、再生開始・停止・情報表示などの指示を第１の再生装置１００に伝える働きをする。
【００３５】
第１のケーブル１０は、ＨＤＭＩ規格準拠の信号伝送用ケーブルである。
【００３６】
第１の表示装置２００に関し、第１の入力端子２０１は、ＨＤＭＩ規格に準拠した映像・音声入力端子であり、その中にはディジタル変調された映像・音声信号伝送路と共に、ＶＥＳＡ／Ｅ−ＤＤＣ及びＥＩＡ／ＣＥＡ８６１−Ｄ両規格で規定される相互通信用のシリアル伝送路が含まれている。
【００３７】
第１のＥＤＩＤ２０２は、第１の表示装置２００が有する機能に関する情報が記憶された記憶素子を含み、当該情報をＥＩＡ／ＣＥＡ８６１−ＤのＥＤＩＤ規格で決められたデータ配列のかたちで記憶する。本実施形態においては、第１のＥＤＩＤ２０２は、更に、その中に、後述する第１の表示装置２００のＯＳＤの表示深度を示す情報、すなわちＯＳＤ深度情報が付記されている。
【００３８】
第１のＨＤＭＩ受信回路２０３は、第１の入力端子２０１を介してＨＤＭＩ信号を受け、立体映像信号、同期信号、音声信号を復調する。
【００３９】
第２のＯＳＤ付加回路２０４は、第１のＨＤＭＩ受信回路２０３から出力される立体映像信号の左目映像および右目映像それぞれの映像信号に、文字やアイコン情報の映像（ＯＳＤ）を上描き（スーパーインポーズ）して出力する。
【００４０】
第２のＣＰＵ２０５は、第１の表示装置２００を制御するマイクロプロセッサである。第２のＣＰＵ２０５は、第２のＯＳＤ付加回路２０４を制御するとともに、第２のリモコン２０９から送られる使用者からの指示に従って、ＯＳＤ深度情報を含むＯＳＤ情報を生成する。
【００４１】
表示パネル２０６は、垂直方向に１０８０画素、水平方向に１９２０画素を有する表示装置であり、これより使用者（観察者）に対し映像の表示を行う。
【００４２】
めがね制御回路２０７は、第１のＨＤＭＩ受信回路２０３から得られた右目映像、左目映像のための映像同期信号に従い、赤外線信号を用いて立体視めがね２０８のシャッタを制御する。立体視めがね２０８には、左右独立で光の透過および不透過を制御可能な液晶シャッタが具備されており、めがね制御回路２０７からの赤外線信号に応じて、左右独立にシャッタの開閉ができる構造を持つ。
【００４３】
第２のリモコン２０９は使用者によって操作され、情報表示、停止などの指示を第１の表示装置２００に伝える働きをする。
【００４４】
第１のオーディオアンプ２１０は音声信号を増幅する。第１のスピーカ２１１は第１のオーディオアンプ２１０の出力を音声に変換する。
【００４５】
１−２．動作について
図２Ａおよび図２Ｂは、第１実施形態に係る第１の再生装置１００と第１の表示装置２００の動作を示すフローチャートである。以降、第１の再生装置１００と第１の表示装置２００の動作説明については、このフローチャートを併用する。
【００４６】
１−２−ａ．第１の再生装置１００および第１の表示装置２００の動作の概要
図２Ａは、第１の再生装置１００の動作にかかるフローチャートである。図２Ａを参照すれば、まずステップ１０１において、第１の再生装置１００は、第１の表示装置２００のＯＳＤ深度情報を取得する。
【００４７】
次に、ステップ１０２において、第１の再生装置１００は、第１の表示装置２００のＯＳＤ深度情報の有無を判定する。ここで第１の表示装置２００のＯＳＤ深度情報がある場合には、ステップ１０３ａにおいて、第１の再生装置１００は、第１の表示装置２００のＯＳＤ深度情報に基づいて、第１の再生装置１００のＯＳＤ表示深度を調整する。ステップ１０２において、第１の表示装置２００のＯＳＤ深度情報が無い場合には、第１の再生装置１００は、予め設定されているデフォルト値を第１の再生装置１００のＯＳＤ表示深度として選択する（ステップ１０３ｂ）。
【００４８】
次に、ステップ１０４において、第１の再生装置１００は、第１の再生装置１００のＯＳＤ表示指示を行うか否かを決定する。ここで、表示指示がある場合には、第１の再生装置１００は、ステップ１０５ａにおいて、映像信号に第１の再生装置１００のＯＳＤを付加する。表示指示が無い場合には、第１の再生装置１００は、ＯＳＤを消去する（または、付加しない）（ステップ１０５ｂ）。
【００４９】
次にステップ１０６において、第１の再生装置１００は、第１の表示装置２００に映像信号を出力する。
【００５０】
なお、連続して映像出力する場合には、ステップ１０４からステップ１０６までが繰り返される。
【００５１】
図２Ｂは、第１の表示装置２００の動作にかかるフローチャートである。図２Ｂを参照すれば、ステップ１０７において、第１の表示装置２００は、第１の表示装置２００のＯＳＤ表示指示を行うか否かを決定する。ここで表示指示がある場合には、第１の表示装置２００は、ステップ１０８ａにおいて、映像信号に第１の表示装置２００のＯＳＤを付加する。また表示指示が無い場合には、第１の表示装置２００は、ＯＳＤを消去する（または、付加しない）（ステップ１０８ｂ）。
【００５２】
最後に、ステップ１０９において、第１の表示装置２００は、表示パネル２０６に映像を表示する。
【００５３】
なお、連続して映像表示する場合には、ステップ１０７からステップ１０９までが繰り返される。
【００５４】
１−２−ｂ．ＯＳＤ表示深度の制御
第１の再生装置１００は、第１のＯＳＤ付加回路５を具備する。第１の表示装置２００は、第２のＯＳＤ付加回路２０４を具備する。第１のＯＳＤ付加回路５は、ＯＳＤ表示深度可変機能を有する。
【００５５】
ここで、ＯＳＤ表示深度の制御に関して説明する。ＯＳＤそのものは２次元の（非立体的な）グラフィックビットマップで構成される。また、ＯＳＤ表示深度（立体映像の前後位置）は可変である。
【００５６】
図３は立体表示における深度（奥行き感）の原理を説明する図である。観察者にとってａ：オブジェクト（物体）が画面スクリーン上に描かれているように見える場合、当該オブジェクトの右目映像における位置（右目位置Ｒ１）と、その左目映像における位置（左目位置Ｌ１）とは一致している。観察者にとってｂ：オブジェクトがスクリーンよりも奥にあるように見える場合、当該オブジェクトの左目情報はＬ２にあり、右目情報はＲ２にある。即ち、オブジェクトに与えられる奥行き感（深度）に応じて左目情報がＬ１よりＬ２へと左に移動し、また右目情報がＲ１からＲ２へとより右に移動している。この移動量の大小によって画面スクリーンよりどれだけ奥にオブジェクトが定位するかが決まる。
【００５７】
また、観察者にとってｃ：オブジェクトが画面スクリーンから飛び出した位置にあるように見える場合、右目情報がＲ３、左目情報がＬ３にある。即ち、オブジェクトに与えられる奥行き感（深度）に応じて左目情報がＬ１よりＬ３へと右に移動し、また右目情報がＲ１からＲ３へとより左に移動している。この移動量の大小によって画面スクリーンよりどれだけ前にオブジェクトが定位するかが決まる。
【００５８】
この様に、同じ物体でも、左目映像および右目映像における位置（情報位置）にオフセットを加える事により、その物体の奥行き感（深度）を前後に動かすことができる。
【００５９】
第１の再生装置１００および第１の表示装置２００において、ＯＳＤ深度情報は、Ｌ１（Ｒ１）からのオフセット画素数として規定されている。即ち、表１に示される様に、ＯＳＤ深度情報は、８ｂｉｔの値を持ち、０から２５５までの値（オフセット量）で示される。左目画像に対しては、左へのオフセットが−（マイナス）、右へのオフセットが＋（プラス）で表される。右目画像に対しては、右へのオフセットが−（マイナス）で、左へのオフセットが＋（プラス）で表される。
【００６０】
従って、ＯＳＤ深度情報が０（ゼロ）の時は、ＯＳＤは最も奥に定位する。ＯＳＤ深度情報が１２８の時は、オフセット量が０（ゼロ）になり、ＯＳＤは画面スクリーン上に定位する。ＯＳＤ深度情報が２５５の時は、ＯＳＤは最も手前に定位する。
【００６１】
表１
【表１】
0005430759.tif 000002
【００６２】
本実施の形態における第１の表示装置２００においては、上記のように決定されたＯＳＤ深度情報が、第１のＥＤＩＤ２０２の所定位置に記録されている。
【００６３】
１−２−ｃ．第１の再生装置１００および第１の表示装置２００の動作の詳細
（１）第１の再生装置１００の動作
（１ａ）第１のＣＰＵ６による第１のＥＤＩＤ２０２の読み取り
第１の再生装置１００の第１のＣＰＵ６は、ステップ１０１において、第１の表示装置２００の第１のＥＤＩＤ２０２の読み取りを行う。第１のＥＤＩＤ２０２は不揮発メモリであり、ここにはＥＩＡ／ＣＥＡ８６１−Ｄ規格で規定された映像フォーマットなど、主に第１の表示装置２００が有する機能に関する情報が記憶され、それと共に、後述するＯＳＤ深度情報が記録されている。第１のＣＰＵ６は、第１の表示装置２００のＯＳＤ深度情報を第１のケーブル１０を経由したＶＥＳＡ／Ｅ−ＤＤＣ規格で決められたシリアル伝送路によって読み取る。
【００６４】
第１の再生装置１００は、第１のＥＤＩＤ２０２の情報に従って、第１の表示装置２００が表示可能な映像フォーマット形式で映像信号と音声信号を伝送する。
【００６５】
（１ｂ）第１の再生装置１００のＯＳＤ表示深度の決定
第１のＥＤＩＤ２０２に記録された第１の表示装置２００のＯＳＤ深度情報を読み取った第１の再生装置１００の第１のＣＰＵ６は、図２Ａに示すフローチャートに従い、その値に基づいて、第１の再生装置１００のＯＳＤ表示深度を決定する。
【００６６】
即ち、第１のＣＰＵ６は、第１の再生装置１００のＯＳＤが第１の表示装置２００のＯＳＤよりも手前に定位されない様に（より奥に定位されるように）、自装置のＯＳＤ表示深度を決定する。
【００６７】
例えば、第１の表示装置２００の第１のＥＤＩＤ２０２に格納されていたＯＳＤ深度情報の値が“１９２”である場合には、第１の表示装置２００のＯＳＤオフセットは、１９２−１２８＝＋６４である。よって、第１の表示装置２００のＯＳＤは、６４画素分のオフセットを与えられ、観察者にとって画面スクリーンより手前に見えるように表示される。
【００６８】
ここで、第１のＣＰＵ６は、例えば、第１の再生装置１００のＯＳＤ深度情報として、”１９２”より小さい“１６０”を選択する。そうすることにより、第１の再生装置１００のＯＳＤオフセットは、１６０−１２８＝＋３２となる。よって、第１の再生装置１００のＯＳＤは、３２画素分のオフセットを与えられ、観察者にとって第１の表示装置２００のＯＳＤより奥に見えるように表示される。
【００６９】
（１ｃ）映像信号と音声信号の再生
光ディスク１には、ＭＰＥＧ４方式で圧縮された立体映像信号と、音声信号が記録されている。光ピックアップ２は、光ディスク１に記録された信号を電気的信号に変換する。モータ３は、光ディスク１を再生に適した速度で回転させる。
【００７０】
復調回路４は、光ピックアップ２の出力を入力し、当該入力について誤り訂正などを行い、立体映像信号と音声信号とを復調する。立体映像は右目映像と左目映像がそれぞれ垂直方向に１０８０画素、水平方向に１９２０画素で２４フレーム／秒で独立に記録されている。よって、再生される立体映像も右目映像および左目映像それぞれが垂直方向に１０８０画素、水平方向に１９２０画素で２４フレーム／秒の映像信号となる。
【００７１】
（１ｄ）第１の再生装置１００のＯＳＤ付加
この様にして再生された立体映像信号の右目映像と左目映像それぞれに、第１のＯＳＤ付加回路５が、必要に応じて第１の再生装置１００のＯＳＤを付加する。この時に、前述したＯＳＤ表示深度に従って、右目映像および左目映像それぞれのＯＳＤ表示位置が制御される。即ち、前述した様に、右目映像においてＯＳＤを左に３２画素、左目映像においてＯＳＤを右に３２画素だけオフセットさせた位置に重畳させることにより、ＯＳＤの飛び出し位置（深度）が決められる。
【００７２】
（２）映像信号と音声信号の伝送
図４は第１実施形態におけるＨＤＭＩ信号の構造を示す図である。
【００７３】
ＯＳＤが付加された立体映像信号は、第１のＨＤＭＩ送信回路７に送られ、図４に示す様に、左目映像、右目映像がそれぞれ時分割で多重された信号となる。左目映像および右目映像の各フレームはライン構造を持ち、各ライン先頭には水平ブランキング期間を有する。音声信号は、この各水平ブランキング期間に多重されている。
【００７４】
そのようにして立体映像、音声信号が多重された信号が、伝送に適した形式に変換されて、第１の出力端子８より出力される。
【００７５】
（３）第１の表示装置２００の動作
（３ａ）第１の表示装置２００による映像信号と音声信号の受信
第１の入力端子２０１より入力されたＨＤＭＩ信号は、第１のＨＤＭＩ受信回路２０３により受信され、元の立体映像信号と音声信号に復調される。立体映像信号は、第２のＯＳＤ付加回路２０４に送られる。
【００７６】
音声信号は第１のオーディオアンプ２１０で増幅され、第１のスピーカ２１１より使用者に伝えられる。
【００７７】
（３ｂ）第１の表示装置２００のＯＳＤ付加
受信された立体映像信号の右目映像と左目映像それぞれに、必要に応じて第１の表示装置２００のＯＳＤが付加される。この時に、前述したＯＳＤ表示深度に従って、右目映像および左目映像のＯＳＤ表示深度が制御される。即ち、前述した様に、第１の表示装置２００ではＯＳＤ深度情報として、予め“１９２”が設定されているので、ＯＳＤを、右目映像については左に６４画素、左目映像については右に６４画素だけオフセットさせてＯＳＤを映像に重畳させることによりＯＳＤの飛び出し位置（深度）が決定される。
【００７８】
（３ｃ）表示パネル２０６の駆動と立体視めがね２０８の制御
第１の表示装置２００において、表示パネル２０６には、左目映像、右目映像が時分割で送られ、・・・左・右・左・右・・・・・と順次に表示される。立体視めがね２０８には、左右独立で光の透過および不透過を制御可能な液晶シャッタが具備されている。立体視めがね２０８は、めがね制御回路２０７からの赤外線信号に応じて、表示パネル２０６が左目映像を出画している期間は右のシャッタを閉じ、表示パネル２０６が右目映像を出画している期間は左のシャッタを閉じるように立体視めがね２０８を制御する。そうすることで、観察者の右目には右目映像のみ、左目には左目映像のみが導かれる。よって、観察者は映像を立体視できる。
【００７９】
１−３．まとめ
第１の実施の形態による第１の再生装置１００は、立体視可能な映像である立体映像に対し、立体映像とは別の映像である再生装置映像（ＯＳＤ）を重畳して立体映像信号を生成し出力することができる再生装置である。
【００８０】
第１の再生装置１００は、自装置に接続され、立体映像に対し立体映像とは別の映像である装置映像（ＯＳＤ）を重畳する装置（第１の表示装置２００）が、当該重畳の際に装置映像に付与する立体視深度である装置映像深度に関する情報を取得する取得部（第１のＣＰＵ６）と、取得部が取得した装置映像深度に関する情報にもとづいて、再生装置映像に再生装置映像深度を付与し立体映像に重畳することにより立体映像信号を生成する重畳部（第１のＯＳＤ付加回路５）と、立体映像信号を、装置へ送信する送信部（第１のＨＤＭＩ送信回路７）と、を有する。
【００８１】
図５は、本実施の形態における複数のＯＳＤの各表示深度を示す図である。
【００８２】
図５に示すように、本実施の形態においては、第１の再生装置１００が、第１の表示装置２００のＯＳＤ深度情報に基づいて、第１の再生装置のＯＳＤ表示深度を制御する。これによって、第１の再生装置１００のＯＳＤは、観察者にとって第１の表示装置２００のＯＳＤより奥に見えるように表示される。その結果、より後から映像に上描きされて付加されるＯＳＤがより以前に映像に上描きされて付加されたＯＳＤよりも深い奥行き感をもって表示されるという不具合を無くすことができる。
【００８３】
２．第２の実施の形態
次に、第２の実施の形態による再生装置３００および表示装置４００について説明する。
【００８４】
本実施形態における再生装置３００及び表示装置４００は、図６に示された内部構成図に基づき、工業的に生産することができる。
【００８５】
２−１．構成について
図６は、第２の実施の形態による再生装置３００と表示装置４００の内部構成を示すブロック図である。本図において、第２の再生装置３００は、光ディスク１を再生することができる映像再生装置である。第２の再生装置３００は、光ピックアップ２、モータ３、復調回路４、第１のＯＳＤ付加回路５、第３のＣＰＵ３０６、第２のＨＤＭＩ送信回路３０７、第１の出力端子８、第３のリモコン３０９を有する。
【００８６】
第２の表示装置４００は、第１の入力端子２０１、第２のＥＤＩＤ４０２、第２のＨＤＭＩ受信回路４０３、第３のＯＳＤ付加回路４０４、第４のＣＰＵ４０５、表示パネル２０６、めがね制御回路２０７、立体視めがね２０８、第２のリモコン２０９、第１のオーディオアンプ２１０、第１のスピーカ２１１を有する。また、第２の再生装置３００の第１の出力端子８と第２の表示装置４００の第１の入力端子２０１は、第１のケーブル１０で接続される。
【００８７】
本図に示す構成を図１に示された構成と比較すれば、第２の再生装置３００の光ピックアップ２、モータ３、復調回路４、第１のＯＳＤ付加回路５、第１の出力端子８は、第１実施形態の第１の再生装置１００のそれらと共通する。第１のＣＰＵ６は、第３のＣＰＵ３０６に置き換えられる。第１のＨＤＭＩ送信回路７は、第２のＨＤＭＩ送信回路３０７に置き換えられる。第１のリモコン９は、第３のリモコン３０９に置き換えられる。
【００８８】
また、第２の表示装置４００の第１の入力端子２０１、表示パネル２０６、めがね制御回路２０７、立体視めがね２０８、第２のリモコン２０９、第１のオーディオアンプ２１０、第１のスピーカ２１１は、第１実施形態の第１の表示装置２００のそれらと共通する。第１のＥＤＩＤ２０２は、第２のＥＤＩＤ４０２に置き換えられる。第１のＨＤＭＩ受信回路２０３は、第２のＨＤＭＩ受信回路４０３に置き換えられる。第２のＯＳＤ付加回路２０４は第３のＯＳＤ付加回路４０４に置き換えられる。第２のＣＰＵ２０５は、第４のＣＰＵ４０５に置き換えられる。
【００８９】
第３のＣＰＵ３０６は、第２の再生装置３００を制御するマイクロプロセッサである。第３のＣＰＵ３０６は、第１のＯＳＤ付加回路５を制御するとともに、第３のリモコン３０９から送られる使用者の操作や復調回路４によって得られる再生情報に基づき、必要に応じてＯＳＤ情報を生成する。また、第３のＣＰＵ３０６は、第２のＨＤＭＩ送信回路３０７に対して、第２の再生装置３００のＯＳＤ深度情報を出力する。
【００９０】
第２のＨＤＭＩ送信回路３０７は、第３のＣＰＵ３０６より送られるパケット情報を、第１のＯＳＤ付加回路５の立体映像出力および復調回路４の音声出力等の映像ブランキング期間に付加し、ＨＤＭＩ形式のディジタル映像信号に変調し、第１の出力端子８より、第２の表示装置４００へ出力する。
【００９１】
第３のリモコン３０９は、使用者によって操作され、再生開始・停止・情報表示などの指示とＯＳＤの表示位置深度調整の指示を、第２の再生装置３００に伝える働きをする。
【００９２】
第２の表示装置４００に関し、第２のＥＤＩＤ４０２は、第２の表示装置４００が有する機能に関する情報が記憶された記憶素子を含み、当該情報をＥＩＡ／ＣＥＡ８６１−ＤのＥＤＩＤ規格で決められたデータ配列のかたちで記憶する。
【００９３】
第２のＨＤＭＩ受信回路４０３は、第１の入力端子２０１を介してＨＤＭＩ信号を受け、立体映像、同期信号、音声、及び、パケット信号を復調する。
【００９４】
第３のＯＳＤ付加回路４０４は、第２のＨＤＭＩ受信回路４０３から出力される立体映像信号の左目映像および右目映像それぞれの映像信号に、文字やアイコン情報の映像（ＯＳＤ）を上描き（スーパーインポーズ）して出力する。また、第３のＯＳＤ付加回路４０４は、第２の表示装置４００のＯＳＤの表示深度を変化させる機能を有する。
【００９５】
第４のＣＰＵ４０５は、第１の表示装置２００を制御するマイクロプロセッサである。第４のＣＰＵ４０５は、第３のＯＳＤ付加回路４０４を制御するとともに、第２のリモコン２０９から送られる使用者の指示に従って、ＯＳＤ情報を生成する。
【００９６】
２−２．動作について
図７Ａおよび図７Ｂは、第２実施形態に係る第２の再生装置３００と第２の表示装置４００の動作を示すフローチャートである。以降、第２の再生装置３００と第２の表示装置４００の動作説明については、このフローチャートを併用する。
【００９７】
２−２−ａ．第２の再生装置３００および第２の表示装置４００の動作の概要
図７Ａは、第２の再生装置３００の動作にかかるフローチャートである。図７Ａを参照すれば、まず、ステップ２０１で第２の再生装置３００は、第２の再生装置３００のＯＳＤ表示深度を決定する。
【００９８】
次に、ステップ２０２において、第２の再生装置３００は、第２の再生装置３００のＯＳＤ表示指示を行うか否かを決定する。ここで表示指示がある場合には、第２の再生装置３００は、ステップ２０３ａにおいて、映像信号に第２の再生装置３００のＯＳＤを付加する。表示指示が無い場合には、第２の再生装置３００は、ＯＳＤを消去する（または、付加しない）（ステップ２０３ｂ）。
【００９９】
さらにステップ２０４ａにおいて、第２の再生装置３００は、第２の再生装置３００のＯＳＤ情報をパケット化する。また、表示指示が無い場合には（ステップ２０２における「ＮＯ」）、第２の再生装置３００は、ＯＳＤを消去するとともに、ＯＳＤ情報のパケットを消去する（ステップ２０４ｂ）。
【０１００】
次にステップ２０５において、第２の再生装置３００は、第２の表示装置４００に映像信号を出力する。
【０１０１】
なお、連続して映像出力する場合には、ステップ２０２からステップ２０５までが繰り返される。
【０１０２】
図７Ｂは、第２の表示装置４００の動作にかかるフローチャートである。図７Ｂを参照すれば、ステップ２０６において、第２の表示装置４００は、第２の再生装置３００のＯＳＤ深度情報が含まれたパケットを取得する。
【０１０３】
次にステップ２０７において、第２の表示装置４００は、第２の再生装置３００のＯＳＤ深度情報の有無を判定する。ここで、第２の再生装置３００のＯＳＤ深度情報がある場合には、ステップ２０８ａにおいて、第２の表示装置４００は、第２の再生装置３００のＯＳＤ深度情報に基づいて、第２の表示装置４００のＯＳＤ表示深度を調整する。第２の再生装置３００のＯＳＤ深度情報が無い場合には、第２の表示装置４００は、予め設定されているデフォルト値を第２の表示装置４００のＯＳＤ表示深度として選択する（ステップ２０８ｂ）。
【０１０４】
次に、ステップ２０９において、第２の表示装置４００は、第２の表示装置４００のＯＳＤ表示指示を行うか否かを決定する。表示指示がある場合には、第２の表示装置４００は、ステップ２１０ａにおいて、映像信号に第２の表示装置４００のＯＳＤを付加する。また表示指示が無い場合には、第２の表示装置４００は、ＯＳＤを消去する（または、付加しない）（ステップ２１０ｂ）。
【０１０５】
最後に、ステップ２１１において、第２の表示装置４００は、表示パネル２０６に映像を表示する。
【０１０６】
なお、連続して映像表示する場合には、ステップ２０９からステップ２１１が繰り返される。
【０１０７】
２−２−ｂ．第２の再生装置３００および第２の表示装置４００の動作の詳細
（１）第２の再生装置３００の動作
（１ａ）第３のＣＰＵ３０６による第２のＥＤＩＤ４０２の読み取り
第２の再生装置３００の第３のＣＰＵ３０６は、初期状態において、第２の表示装置４００の第２のＥＤＩＤ４０２の読み取りを行う。第２のＥＤＩＤ４０２の不揮発メモリには、ＥＩＡ／ＣＥＡ８６１−Ｄ規格で規定された映像フォーマットなど、主に第２の表示装置４００が有する機能に関する情報が記録されている。第３のＣＰＵ３０６は、これを第１のケーブル１０を経由したＶＥＳＡ／Ｅ−ＤＤＣ規格で決められたシリアル伝送路によって読み取る。
【０１０８】
第２の再生装置３００は、第２のＥＤＩＤ４０２の情報に従って、第２の表示装置４００が表示可能な映像フォーマット形式で映像信号と音声信号を伝送する。
【０１０９】
（１ｂ）映像信号と音声信号の再生
光ディスク１には、ＭＰＥＧ４方式で圧縮された立体映像信号と、音声信号が記録されている。光ピックアップ２は、光ディスク１に記録された信号を電気的信号に変換する。モータ３は、光ディスク１を再生に適した速度で回転させる。
【０１１０】
復調回路４は、光ピックアップ２の出力を入力し、当該入力について誤り訂正などを行い、立体映像信号と音声信号とを復調する。立体映像は右目映像と左目映像がそれぞれ垂直方向に１０８０画素、水平方向に１９２０画素で２４フレーム／秒で独立に記録されている。よって、再生される立体映像も右目映像および左目映像それぞれが垂直方向に１０８０画素、水平方向に１９２０画素で２４フレーム／秒の映像信号となる。
【０１１１】
（１ｃ）第２の再生装置３００のＯＳＤ付加
この様にして再生された立体映像信号の右目映像と左目映像それぞれに、第１のＯＳＤ付加回路５が、必要に応じて第２の再生装置３００のＯＳＤを付加する。この時に、使用者は、第３のリモコン３０９を用いてＯＳＤの表示深度を変更することができる。即ち、使用者が第３のリモコン３０９を用いてＯＳＤの表示深度を変える指示を出すと、第３のＣＰＵ３０６はその指示に従って、ＯＳＤ表示深度を、例えば、１２８から１９２の範囲で決定する。第１のＯＳＤ付加回路５は、ＯＳＤ深度情報に従って、左目映像および右目映像それぞれに、オフセットが付加されたＯＳＤを付加する。ＯＳＤ深度情報とＯＳＤの左目映像および右目映像それぞれにおけるオフセット量との関係は第１の実施の形態の表１に示したとおりである。
【０１１２】
オフセット量を１２８から１９２まで変化させることによって、第２の再生装置３００のＯＳＤの画面スクリーンからの飛び出し量（深度）を変化させる事ができる。使用者（観察者）は、自分にとって見やすいＯＳＤ表示位置を選ぶことができる。
【０１１３】
また、第３のＣＰＵ３０６は、このようにして決定された第２の再生装置３００のＯＳＤ深度情報を第２のＨＤＭＩ送信回路３０７に送る。
【０１１４】
以下、本実施形態における説明においては、使用者がオフセット量を“１４０”に設定したものとする。
【０１１５】
（２）映像信号と音声信号の伝送
図８は、第２実施形態におけるＨＤＭＩ信号の構造を示す図である。
【０１１６】
ＯＳＤが付加された立体映像信号は、第２のＨＤＭＩ送信回路３０７に送られ、図８に示す様に、左目映像、右目映像がそれぞれ時分割で多重された信号となる。左目映像および右目映像の各フレームはライン構造を持ち、各ライン先頭には水平ブランキング期間を有する。音声信号は、この各水平ブランキング期間に多重されている。また、第２のＨＤＭＩ送信回路３０７は、第３のＣＰＵ３０６より送られてきたＯＳＤ深度情報、即ち、値“１４０”をパケット化し、立体映像信号の左目映像および右目映像のフレーム間のブランキングに多重する。立体映像信号は、図８に示す形態の信号となり伝送に適した形式に変換されて、第１の出力端子８より出力される。
【０１１７】
（３）第２の表示装置４００の動作
（３ａ）第２の表示装置４００による映像信号と音声信号の受信
第１の入力端子２０１より入力されたＨＤＭＩ信号は、第２のＨＤＭＩ受信回路４０３により受信され、元の立体映像信号と音声信号とパケット信号とに復調される。立体映像信号は、第３のＯＳＤ付加回路４０４に送られる。
【０１１８】
音声信号は第１のオーディオアンプ２１０で増幅され、第１のスピーカ２１１より使用者に伝えられる。
【０１１９】
（３ｂ）第２の表示装置４００のＯＳＤ表示深度の決定
図６に示す第４のＣＰＵ４０５は、図７Ｂのフローチャートに従って第２のＨＤＭＩ受信回路４０３より送られてきたＯＳＤ深度情報、値“１４０”に基づいて、第２の表示装置４００のＯＳＤ表示深度を決定する。
【０１２０】
即ち、第４のＣＰＵ４０５は、第２の表示装置４００のＯＳＤが第２の再生装置３００のＯＳＤよりも奥に定位されない様に（より手前に定位されるように）、自装置のＯＳＤ表示深度を決定する。
【０１２１】
第２のＨＤＭＩ受信回路４０３より送られてきた第２の再生装置３００のＯＳＤ深度情報が“１４０”であるので、第２の再生装置３００のＯＳＤオフセットは、１４０−１２８＝＋１２である。よって、第２の再生装置３００のＯＳＤは、１２画素分のオフセットを与えられ、観察者にとって画面スクリーンより手前に見えるように表示される。
【０１２２】
ここで、第４のＣＰＵ４０５は、例えば、第２の表示装置４００のＯＳＤ深度情報として、”１４０”より大きい“２００”を選択する。そうすることにより、第２の表示装置４００のＯＳＤオフセットは、２００−１２８＝＋７２となる。よって、第２の表示装置４００のＯＳＤは、７２画素分のオフセットを与えられ、観察者にとって第２の再生装置３００のＯＳＤより手前に見えるように表示される。
【０１２３】
（３ｃ）第２表示装置４００のＯＳＤ付加
受信された立体映像信号の右目映像および左目映像それぞれに、必要に応じて第２の表示装置４００のＯＳＤが付加される。この時に、前述したＯＳＤ深度情報に従って、右目映像および左目映像のＯＳＤ表示深度が制御される。即ち、前述した様に、第２の表示装置４００ではＯＳＤ深度情報として、“２００”が設定されたので、右目映像については、ＯＳＤを左に７２画素、左目映像については、ＯＳＤを右に７２画素だけオフセットさせて映像に重畳させることにより、ＯＳＤの飛び出し位置（深度）が決定される。
【０１２４】
（３ｄ）表示パネル２０６の駆動と立体視めがね２０８の制御
第２の表示装置４００において、表示パネル２０６には、左目映像、右目映像が時分割で送られ、・・・左・右・左・右・・・・・と順次に表示される。立体視めがね２０８には、左右独立で光の透過および不透過を制御可能な液晶シャッタが具備されている。立体視めがね２０８は、めがね制御回路２０７からの赤外線信号に応じて、表示パネル２０６が左目映像を出画している期間は右のシャッタを閉じ、表示パネル２０６が右目映像を出画している期間は左のシャッタを閉じるように立体視めがね２０８を制御する。そうすることで、観察者（使用者）の右目には右目映像のみ、左目には左目映像のみが導かれる。よって、使用者は映像を立体視できる。
【０１２５】
２−３．まとめ
第２の実施の形態による第２の表示装置４００は、立体視可能な映像である立体映像に対し、立体映像とは別の映像である表示装置映像（ＯＳＤ）を重畳して表示することができる表示装置である。
【０１２６】
第２の表示装置４００は、立体映像を含む第１立体映像信号を受信する受信部（第２のＨＤＭＩ受信回路４０３）と、自装置に接続され、立体映像に対し立体映像とは別の映像である装置映像（ＯＳＤ）を重畳して第１立体映像信号を出力する装置（第２の再生装置３００）が、当該重畳の際に装置映像に付与する立体視深度である装置映像深度に関する情報を取得する取得部（第４のＣＰＵ４０５）と、取得部が取得した装置映像深度に関する情報にもとづいて、表示装置映像に表示装置映像深度を付与し立体映像に重畳することにより第２立体映像信号を生成する重畳部（第３のＯＳＤ付加回路４０４）と、第２立体映像信号にもとづいて映像を表示する表示部（表示パネル２０６）と、を有する。
【０１２７】
図９は、本実施の形態における複数のＯＳＤの各表示深度を示す図である。
【０１２８】
図９に示すように、本実施の形態においては、第２の表示装置４００が、第２の再生装置３００のＯＳＤ深度情報に基づいて、第２の表示装置４００のＯＳＤ表示深度を制御する。これによって、第２の再生装置３００のＯＳＤは、観察者にとって第２の表示装置４００のＯＳＤより奥に見えるように表示される。その結果、より後から映像に上描きされて付加されるＯＳＤがより以前に映像に上描きされて付加されたＯＳＤよりも深い奥行き感をもって表示されるという不具合を無くすことができる。
【０１２９】
３．第３の実施の形態
以下、第３の実施の形態による映像システムについて説明する。本実施形態による映像システムは、図１０に示された内部構成図に基づき、工業的に生産することができる。
【０１３０】
３−１．構成について
図１０は、第３の実施の形態による映像システム１０００の内部構成を示すブロック図である。本実施形態による映像システム１０００は、第１の再生装置１００と、第１の増幅装置５００と、第１の表示装置２００とを有する。本図において、第１の再生装置１００は、光ディスク１を再生することができる映像再生装置である。第１の再生装置１００は、光ピックアップ２、モータ３、復調回路４、第１のＯＳＤ付加回路５、第１のＣＰＵ６、第１のＨＤＭＩ送信回路７、第１の出力端子８、第１のリモコン９を有する。
【０１３１】
第１の表示装置２００は、第１の入力端子２０１、第１のＥＤＩＤ２０２、第１のＨＤＭＩ受信回路２０３、第２のＯＳＤ付加回路２０４、第２のＣＰＵ２０５、表示パネル２０６、めがね制御回路２０７、立体視めがね２０８、第２のリモコン２０９、第１のオーディオアンプ２１０、第１のスピーカ２１１を有する。
【０１３２】
第１の増幅装置５００は、第２の入力端子５０１、第３のＥＤＩＤ５０２、第３のＨＤＭＩ受信回路５０３、第４のＯＳＤ付加回路５０４、第５のＣＰＵ５０５、第３のＨＤＭＩ送信回路５０６、第２のオーディオアンプ５０７、第２の出力端子５０８、第４のリモコン５０９、音声出力端子５１０を有する。
【０１３３】
また、第１の再生装置１００の第１の出力端子８と第１の増幅装置５００の第２の入力端子５０１は、第２のケーブル２０で接続される。第１の増幅回路５００の第２の出力端子５０８と第１の表示装置２００の第１の入力端子２０１は、第３のケーブル２１で接続される。更に、第１の増幅装置５００の音声出力端子５１０には、第２のスピーカ５１１が接続される。
【０１３４】
本図に示す構成を図１に示された構成と比較すれば、第１の再生装置１００および第１の表示装置２００は、実施の形態１による第１の再生装置１００および第１の表示装置２００と同一の構成を有する。本実施形態は、第１の増幅装置５００が追加され、第１の再生装置１００、第１の表示装置２００、および、第１の増幅装置５００が、映像システム１０００を形成する点において第１の実施の形態と異なる。
【０１３５】
第１の増幅装置５００に関し、第２の入力端子５０１は、ＨＤＭＩ規格に準拠した映像・音声入力端子であり、その中にはディジタル変調された映像・音声信号伝送路と共に、ＶＥＳＡ／Ｅ−ＤＤＣ及びＥＩＡ／ＣＥＡ８６１−Ｄ両規格で規定される相互通信用のシリアル伝送路が含まれている。
【０１３６】
第３のＥＤＩＤ５０２は、第１の増幅装置５００が有する機能に関する情報が記憶された記憶素子を含み、当該情報をＥＩＡ／ＣＥＡ８６１−ＤのＥＤＩＤ規格で決められたデータ配列のかたちで記憶する。また、当該記憶素子は、データの書き換えが可能な記憶素子である。第３のＥＤＩＤ５０２は、更に、第１の増幅装置５００のＯＳＤの表示深度を示す情報（ＯＳＤ深度情報）を記憶する。
【０１３７】
第３のＨＤＭＩ受信回路５０３は、第２の入力端子５０１を介してＨＤＭＩ信号を受け、立体映像信号、同期信号、音声信号を復調する。
【０１３８】
第４のＯＳＤ付加回路５０４は、第３のＨＤＭＩ受信回路５０３から出力される立体映像信号の左目映像および右目映像それぞれの映像信号に、文字やアイコン情報の映像（ＯＳＤ）を上描き（スーパーインポーズ）して出力する。また、第４のＯＳＤ付加回路５０４は、第１の増幅装置５００のＯＳＤの表示深度を変化させる機能を有する。
【０１３９】
第５のＣＰＵ５０５は、第１の増幅装置５００を制御するマイクロプロセッサである。第５のＣＰＵ５０５は、第４のＯＳＤ付加回路５０４を制御するとともに、第４のリモコン５０９から送られる使用者からの指示に従って、ＯＳＤ情報を生成する。
【０１４０】
第３のＨＤＭＩ送信回路５０６は、第４のＯＳＤ付加回路５０４の立体映像出力をＨＤＭＩ形式のディジタル映像信号に変調し、第２の出力端子５０８より、第１の表示装置２００へ出力する。
【０１４１】
第２のオーディオアンプ５０７は、第３のＨＤＭＩ受信回路５０３から受け取った音声信号を増幅し、音声出力端子５１０へ出力する。
【０１４２】
第２の出力端子５０８は、ＨＤＭＩ規格に準拠した映像・音声出力端子であり、その中にはディジタル変調された映像信号伝送路と共に、ＶＥＳＡ／Ｅ−ＤＤＣ及びＥＩＡ／ＣＥＡ８６１−Ｂ両規格で規定される相互通信用のシリアル伝送路が含まれている。
【０１４３】
第４のリモコン５０９は使用者によって操作され、再生開始・停止・情報表示などの指示を第１の再生装置１００に伝える働きをする。
【０１４４】
音声出力端子５１０は、第２のオーディオアンプ５０７への出力を出力する端子である。第２のスピーカ５１１は、第１の音声出力端子５１０から出力される信号を音声に変換する。
【０１４５】
第２のケーブル２０は、ＨＤＭＩ規格準拠の信号伝送用ケーブルである。第３のケーブル２１は、ＨＤＭＩ規格準拠の信号伝送用ケーブルである。
【０１４６】
３−２．動作について
図１１Ａ、図１１Ｂ、および、図１１Ｃは、第３実施形態に係る映像システム１０００（第１の再生装置１００、第１の増幅装置５００、第１の表示装置２００）の動作を示すフローチャートである。以降、第１の再生装置１００と、第１の増幅装置５００と、第１の表示装置２００の動作説明については、このフローチャートを併用する。
【０１４７】
３−２−ａ．映像システム１０００の動作の概要
図１１Ａは、第１の増幅装置５００の動作にかかるフローチャートである。図１１Ａを参照すれば、まず、ステップ３０１において、第１の増幅装置５００は、第１の表示装置２００のＯＳＤ深度情報を取得する。
【０１４８】
次に、ステップ３０２において、第１の増幅装置５００は、第１の表示装置２００のＯＳＤ深度情報の有無を判定する。ここで第１の表示装置２００のＯＳＤ深度情報がある場合には、ステップ３０３ａにおいて、第１の増幅装置５００は、第１の表示装置２００のＯＳＤ深度情報に基づいて、第１の増幅装置５００のＯＳＤ深度を調整する。ステップ３０２において、第１の表示装置２００のＯＳＤ深度情報が無い場合には、第１の増幅装置５００は、予め設定されているデフォルト値を第１の増幅装置５００のＯＳＤ表示深度として選択する（ステップ３０３ｂ）。
【０１４９】
次に、ステップ４０４において、第１の増幅装置５００は、第１の増幅装置５００のＯＳＤ深度情報を第１の増幅装置５００の第３のＥＤＩＤ５０２に格納する。ステップ３０２において、第１の表示装置２００のＯＳＤ深度情報が無い場合には、第１の増幅装置５００は、予め設定されているデフォルト値を第１の増幅装置５００のＯＳＤ深度情報として選択し、第３のＥＤＩＤ５０２に格納する。
【０１５０】
次にステップ３０５において、第１の増幅装置５００は、第１の増幅装置５００のＯＳＤ表示指示を行うか否かを決定する。ここで、表示指示がある場合には、ステップ３０６ａにおいて、映像信号に第１の増幅装置５００のＯＳＤを付加する。表示指示が無い場合には、第１の増幅装置５００は、ＯＳＤを消去する（または、付加しない）（ステップ３０６ｂ）。
【０１５１】
次にステップ３０７において、第１の増幅装置５００は、第１の表示装置２００へ映像信号を出力する。
【０１５２】
なお、連続して映像出力する場合には、ステップ３０５からステップ３０７までが繰り返される。
【０１５３】
図１１Ｂは、第１の再生装置１００の動作にかかるフローチャートである。図１１Ｂを参照すれば、ステップ３０８において、第１の再生装置１００は、第１の増幅装置５００のＯＳＤ深度情報を取得する。
【０１５４】
次に、ステップ３０９において、第１の再生装置１００は、第１の増幅装置５００のＯＳＤ深度情報の有無を判定する。ここで第１の増幅装置５００のＯＳＤ深度情報がある場合には、ステップ３１０ａにおいて、第１の再生装置１００は、第１の増幅装置５００のＯＳＤ深度情報に基づいて、第１の再生装置１００のＯＳＤ深度を調整する。ステップ３０９において、第１の増幅装置５００のＯＳＤ深度情報が無い場合には、第１の再生装置１００は、予め設定されているデフォルト値を第１の再生装置１００のＯＳＤ深度情報として選択する（ステップ３１０ｂ）。
【０１５５】
次に、ステップ３１１において、第１の再生装置１００は、第１の再生装置１００のＯＳＤ表示指示を行うか否かを決定する。ここで、表示指示がある場合には、第１の再生装置１００は、ステップ３１２ａにおいて、映像信号に第１の再生装置１００のＯＳＤを付加する。表示指示が無い場合には、第１の再生装置１００は、ＯＳＤを消去する（または、付加しない）（ステップ３１２ｂ）。
【０１５６】
次にステップ３１３において、第１の再生装置１００は、第１の増幅装置５００に映像信号を出力する。
【０１５７】
なお、連続して映像出力する場合には、ステップ３１１からステップ３１３までが繰り返される。
【０１５８】
図１１Ｃは、第１の表示装置２００の動作にかかるフローチャートである。図１１Ｃを参照すれば、次に、ステップ３１４において、第１の表示装置２００は、第１の表示装置２００のＯＳＤ表示指示を行うか否かを決定する。ここで表示指示がある場合には、第１の表示装置２００は、ステップ３１５ａにおいて、映像信号に第１の表示装置２００のＯＳＤを付加する。また表示指示が無い場合には、第１の表示装置２００は、ＯＳＤを消去する（または、付加しない）（ステップ３１５ｂ）。
【０１５９】
最後に、ステップ３１６において、第１の表示装置２００は、表示パネル２０６に映像を表示する。
【０１６０】
なお、連続して映像表示する場合には、ステップ３１４からステップ３１６までが繰り返される。
【０１６１】
３−２−ｂ．映像システム１０００の動作の詳細
（１）第１の増幅装置５００による自装置のＯＳＤ表示深度の決定
（１ａ）第５のＣＰＵ５０５による第１のＥＤＩＤ２０２の読み取り
第１の増幅装置５００の第５のＣＰＵ５０５は、ステップ３０１において、第１の表示装置２００の第１のＥＤＩＤ２０２の読み取りを行う。第１のＥＤＩＤ２０２は不揮発メモリであり、ここには第１のＥＤＩＤ２０２にはＥＩＡ／ＣＥＡ８６１−Ｄ規格で規定された映像フォーマットなど、主に第１の表示装置２００が有する機能に関する情報が記憶され、それと共に第１の表示装置２００のＯＳＤ深度情報が記録されている。第５のＣＰＵ５０５は、第１の表示装置２００のＯＳＤ深度情報を第３のケーブル２１を経由したＶＥＳＡ／Ｅ−ＤＤＣ規格で決められたシリアル伝送路によって読み取る。
【０１６２】
（１ｂ）第１の増幅装置５００のＯＳＤ表示位置の決定
図１０に示される第１の増幅装置５００の第５のＣＰＵ５０５は、図１１Ａに示すフローチャートに従い、第１のＥＤＩＤ２０２に記録された第１の表示装置２００のＯＳＤ深度情報を読み取り、その値に従って、第１の増幅装置５００のＯＳＤ表示深度を決定する。
【０１６３】
即ち、第５のＣＰＵ５０５は、第１の増幅装置５００のＯＳＤが第１の表示装置２００のＯＳＤよりも手前に定位されない様に（より奥に定位されるように）、自装置のＯＳＤ表示深度を決定する。
【０１６４】
ここで、ＯＳＤ表示深度とＯＳＤの左目映像および右目映像それぞれにおけるオフセット量との関係は第１の実施の形態の表１に示したとおりである。
【０１６５】
例えば、第１の表示装置２００の第１のＥＤＩＤ２０２に格納されていたＯＳＤ深度情報の値が“１９２”である場合には、第１の表示装置２００のＯＳＤオフセットは、１９２−１２８＝＋６４である。よって、第１の表示装置２００のＯＳＤは、６４画素分のオフセットを与えられ、観察者にとって画面スクリーンより手前に見えるように表示される。
【０１６６】
ここで、第５のＣＰＵ５０５は、例えば、第１の増幅装置５００のＯＳＤ深度情報として、”１９２”より小さい“１７６”を選択する。そうすることにより、第１の増幅装置５００のＯＳＤオフセットは、１７６−１２８=＋４８となる。よって、第１の増幅装置５００のＯＳＤは、４８画素分のオフセットを与えられ、観察者にとって第１の表示装置のＯＳＤより奥に見えるように表示される。
【０１６７】
（１ｃ）第１の増幅装置５００の第３のＥＤＩＤ５０２の書き込み
更に、第５のＣＰＵ５０５は、第１のＥＤＩＤ２０２から読み取った第１の表示装置２００が受信可能な映像信号フォーマットに関する情報と、第１の増幅装置５００が受信可能な音声信号フォーマットに関する情報と、第１の増幅装置５００のＯＳＤ深度情報、即ち値“１７６”を第３のＥＤＩＤ５０２に記憶する。
【０１６８】
（２）第１の再生装置１００の動作
（２ａ）第１の増幅装置５００の第３のＥＤＩＤ５０２の読み取り
第１の再生装置１００の第１のＣＰＵ６は、ステップ３０８において、第１の増幅装置５００の第３のＥＤＩＤ５０２の読み取りを行う。第３のＥＤＩＤ５０２には、第１の表示装置２００が受信可能な映像フォーマットに関する情報と、第１の増幅装置５００が受信可能な音声フォーマットに関する情報と、第１の増幅装置５００のＯＳＤ深度情報、即ち値“１７６”と、が記録されている。第１のＣＰＵ６は、第１の表示装置２００が受信可能な映像フォーマットに関する情報と、第１の増幅装置５００が受信可能な音声フォーマットに関する情報と、第１の増幅装置５００のＯＳＤ深度情報とを、第２のケーブル２０を経由したＶＥＳＡ／Ｅ−ＤＤＣ規格で決められたシリアル伝送路によって読み取る。
【０１６９】
第１の再生装置１００は、第３のＥＤＩＤ５０２の情報に従って、第１の表示装置２００が表示可能な映像フォーマット形式で立体映像信号を、第１の増幅装置５００が増幅可能な音声フォーマット形式で音声信号を伝送する。
【０１７０】
（２ｂ）第１の再生装置１００のＯＳＤ表示深度の決定
図１０に示される第１の再生装置１００の第１のＣＰＵ６は、図１１Ｂに示すフローチャートに従い、第３のＥＤＩＤ５０２に記録された第１の増幅装置５００のＯＳＤ深度情報を読み取り、その値に従って、第１の再生装置１００のＯＳＤ表示深度を決定する。
【０１７１】
即ち、第１のＣＰＵ６は、第１の再生装置１００のＯＳＤが第１の増幅装置５００のＯＳＤよりも手前に定位されない様に（より奥に定位されるように）、自装置のＯＳＤ表示深度を決定する。
【０１７２】
上述のように第１の増幅装置５００の第３のＥＤＩＤ５０２に格納されていた値が“１７６”である場合には、第１の増幅装置５００のＯＳＤオフセットは、１７６−１２８＝＋４８である。よって、第１の増幅装置５００のＯＳＤは、４８画素分のオフセットを与えられ、画面スクリーンより手前に見えるように表示される。
【０１７３】
ここで、第１のＣＰＵ６は、例えば、第１の再生装置１００のＯＳＤ深度情報として、”１７６”より小さい“１６０”を選択する。そうすることにより、第１の再生装置１００のＯＳＤオフセットは、１６０−１２８=＋３２となる。よって、第１の再生装置１００のＯＳＤは、３２画素分のオフセットを与えられ、観察者にとって第１の増幅装置５００のＯＳＤより奥に見えるように表示される。
【０１７４】
（２ｃ）映像信号と音声信号の再生
光ディスク１には、ＭＰＥＧ４方式で圧縮された立体映像信号と、音声信号が記録されている。光ピックアップ２は、光ディスク１に記録された信号を電気的信号に変換する。モータ３は、光ディスク１を再生に適した速度で回転させる。
【０１７５】
復調回路４は、光ピックアップ２の出力を入力し、当該入力について誤り訂正などを行い、立体映像信号と音声信号とを復調する。立体映像は右目映像と左目映像がそれぞれ垂直方向に１０８０画素、水平方向に１９２０画素で２４フレーム／秒で独立に記録されている。よって、再生される立体映像も右目映像および左目映像それぞれが垂直方向に１０８０画素、水平方向に１９２０画素で２４フレーム／秒の映像信号となる。
【０１７６】
（２ｄ）第１の再生装置１００のＯＳＤ付加
この様にして再生された立体映像信号の右目映像と左目映像それぞれに、第１のＯＳＤ付加回路５が、必要に応じて第１の再生装置１００のＯＳＤを付加する。この時に、前述したＯＳＤ深度位置に従って、右目映像および左目映像それぞれのＯＳＤ表示位置が制御される。即ち、前述した様に、右目映像においてＯＳＤを左に３２画素、左目映像においてＯＳＤを右に３２画素だけ、オフセットさせた位置に重畳させることにより、ＯＳＤの飛び出し位置（深度）が決められる。
【０１７７】
（３）映像信号と音声信号の伝送
図１２は第３実施形態における第１の再生装置１００のＨＤＭＩ信号出力の構造を示す図である。
【０１７８】
ＯＳＤが付加された立体映像信号は、第１のＨＤＭＩ送信回路７に送られ、図１２に示す様に、左目映像、右目映像がそれぞれ時分割で多重された信号となる。左目映像および右目映像の各フレームはライン構造を持ち、各ライン先頭には水平ブランキング期間を有する。音声信号は、この各水平ブランキング期間に多重されている。
【０１７９】
そのようにして立体映像、音声信号が多重された信号が、伝送に適した形式に変換されて、第１の出力端子８より出力される。
【０１８０】
（４）第１の増幅装置５００の動作
（４ａ）表示装置の映像信号と音声信号の受信
第２の入力端子５０１より入力されたＨＤＭＩ信号は、第３のＨＤＭＩ受信回路５０３により受信され、元の立体映像信号と音声信号に復調される。立体映像信号は、第４のＯＳＤ付加回路５０４に送られる。
【０１８１】
音声信号は第２のオーディオアンプ５０７で増幅され、音声出力端子５１０に出力される。
【０１８２】
音声出力端子５１０には第２のスピーカ５１１が接続されており、音声出力端子５１０から出力される信号を音声に変換し使用者に伝えられる。
【０１８３】
（４ｂ）第１の増幅装置５００のＯＳＤ付加
受信された立体映像信号の右目映像と左目映像それぞれに、必要に応じて増幅装置５００のＯＳＤが付加される。この時に、前述したＯＳＤ深度情報に従って、右目映像および左目映像のＯＳＤ表示深度が制御される。即ち、前述した様に、第１の増幅装置５００ではＯＳＤ深度情報として、予め“１７６”が設定されているので、ＯＳＤを右目映像については左に４８画素、左目映像については右に４８画素だけオフセットさせてＯＳＤを映像に重畳させることによりＯＳＤの飛び出し位置（深度）が決定される。
【０１８４】
（５）映像信号の伝送
図１３は第３実施形態における第１の増幅装置５００のＨＤＭＩ信号出力の構造を示す図である。
【０１８５】
ＯＳＤが付加された立体映像信号は、第３のＨＤＭＩ送信回路５０６に送られ、図１３に示す様に、左目映像、右目映像がそれぞれ時分割で多重された信号となる。左目映像右目映像の各フレームはライン構造を持ち、各ライン先頭には水平ブランキング期間を有する。そのようにして立体映像信号が、伝送に適した形式に変換されて、第２の出力端子５０８より出力される。
【０１８６】
（６）第１の表示装置２００の動作
（６ａ）第１の表示装置２００による映像信号の受信
第１の入力端子２０１より入力されたＨＤＭＩ信号は、第１のＨＤＭＩ受信回路２０３により受信され、元の立体映像信号に復調される。立体映像信号は、第２のＯＳＤ付加回路２０４に送られる。
【０１８７】
（６ｂ）第１の表示装置２００によるＯＳＤ付加
受信された立体映像信号の右目映像と左目映像それぞれに、必要に応じて表示装置２００のＯＳＤが付加される。この時に、前述したＯＳＤ深度情報に従って、右目映像および左目映像のＯＳＤ表示深度が制御される。即ち、前述した様に、第１の表示装置２００ではＯＳＤ深度情報として、予め“１９２”が設定されているので、ＯＳＤを、右目映像については左に６４画素、左目映像については右に６４画素だけオフセットさせてＯＳＤを映像に重畳させることによりＯＳＤの飛び出し位置（深度）が決定される。
【０１８８】
（６ｃ）表示パネル２０６の駆動と立体視めがね２０８の制御
第１の表示装置２００において、表示パネル２０６には、左目映像、右目映像が時分割で送られ、・・・左・右・左・右・・・・・と順次に表示される。立体視めがね２０８には、左右独立で光の透過および不透過を制御可能な液晶シャッタが具備されている。立体視めがね２０８は、めがね制御回路２０７からの赤外線信号に応じて、表示パネル２０６が左目映像を出画している期間は右のシャッタを閉じ、表示パネル２０６が右目映像を出画している期間は左のシャッタを閉じるように立体視めがね２０８を制御する。そうすることで、観察者の右目には右目映像のみ、左目には左目映像のみが導かれる。よって、観察者は映像を立体視できる。
【０１８９】
３−３．まとめ
第３の実施の形態による第１の増幅装置５００は、第１の再生装置１００から立体視可能な映像である立体映像を含んだ第１立体映像信号を受信し、立体映像とは別の映像である増幅装置映像（ＯＳＤ）を立体映像に重畳して第２立体映像信号を生成し、第１の表示装置２００へ送信することができる増幅装置である。
【０１９０】
第１の増幅装置５００は、第１立体映像信号を受信する受信部（第３のＨＤＭＩ受信回路５０３）と、立体映像に対し立体映像とは別の映像である表示装置映像（ＯＳＤ）を重畳する第１の表示装置２００が、当該重畳の際に表示装置映像に付与する立体視深度である表示装置映像深度に関する情報を取得する取得部（第５のＣＰＵ５０５）と、取得部が取得した表示装置映像深度に関する情報にもとづいて、増幅装置映像に増幅装置映像深度を付与し立体映像に重畳することにより第２立体映像信号を生成する重畳部（第４のＯＳＤ付加回路５０４）と、第２立体映像信号を、第１の表示装置２００へ送信する送信部（第３のＨＤＭＩ送信回路５０６）と、を有する。
【０１９１】
第３の実施の形態による映像システム１０００は、第１の再生装置１００と、第１の表示装置２００と、第１の増幅装置５００と、を有する映像システムである。
【０１９２】
第１の再生装置１００は、立体視可能な映像である立体映像に対し、立体映像とは別の映像である再生装置映像（ＯＳＤ）を重畳して第１立体映像信号を生成し出力することができる再生装置である。第１の再生装置１００は、自装置に接続され、立体映像に対し立体映像とは別の映像である増幅装置映像（ＯＳＤ）を重畳する第１の増幅装置５００が、当該重畳の際に増幅装置映像に付与する立体視深度である増幅装置映像深度に関する情報を取得する取得部（第１のＣＰＵ６）と、取得部が取得した増幅装置映像深度に関する情報にもとづいて、再生装置映像に再生装置映像深度を付与し立体映像に重畳することにより第１立体映像信号を生成する重畳部（第１のＯＳＤ付加回路５）と、第１立体映像信号を、第１の増幅装置５００へ送信する送信部（第１のＨＤＭＩ送信回路７）と、を有する。
【０１９３】
第１の増幅装置５００は、第１の再生装置１００から第１立体映像信号を受信し、立体映像とは別の映像である増幅装置映像を立体映像に重畳して第２立体映像信号を生成し、第１の表示装置２００へ送信することができる増幅装置である。第１の増幅装置５００は、第１立体映像信号を受信する受信部（第３のＨＤＭＩ受信回路５０３）と、立体映像に対し立体映像とは別の映像である表示装置映像（ＯＳＤ）を重畳する第１の表示装置２００が、当該重畳の際に表示装置映像に付与する立体視深度である表示装置映像深度に関する情報を取得する取得部（第５のＣＰＵ５０５）と、取得部が取得した表示装置映像深度に関する情報にもとづいて、増幅装置映像に増幅装置映像深度を付与し立体映像に重畳することにより第２立体映像信号を生成する重畳部（第４のＯＳＤ付加回路５０４）と、第２立体映像信号を、第１の表示装置２００へ送信する送信部（第３のＨＤＭＩ送信回路５０６）と、を有する。
【０１９４】
第１の表示装置２００は、第１の増幅装置５００から第２立体映像信号を受信し、立体映像とは別の映像である表示装置映像を立体映像に重畳して表示することができる表示装置である。第１の表示装置２００は、第２立体映像信号を受信する受信部（第１のＨＤＭＩ受信回路２０３）と、表示装置映像に表示装置映像深度を付与し立体映像に重畳することにより第３立体映像信号を生成する重畳部（第２のＯＳＤ付加回路２０４）と、第３立体映像信号にもとづいて映像を表示する表示部（表示パネル２０６）と、を有する。
【０１９５】
図１４は、本実施の形態における複数のＯＳＤの各表示深度を示す図である。
【０１９６】
図１４に示すように、本実施の形態においては、第１の増幅装置５００が、第１の表示装置２００のＯＳＤ深度情報に基づいて、第１の増幅装置５００のＯＳＤ表示深度を制御する。また、第１の再生装置１００が、第１の増幅装置５００のＯＳＤ深度情報に基づいて、第１の再生装置１００のＯＳＤ表示深度を制御する。これによって、図１４に示すように、第１の再生装置１００のＯＳＤは、観察者にとって、第１の増幅装置５００のＯＳＤより奥に見えるように表示される。また、第１の増幅装置５００のＯＳＤは、観察者にとって、第１の表示装置２００のＯＳＤより奥に見えるように表示される。その結果、より後から映像に上描きされて付加されるＯＳＤがより以前に映像に上描きされて付加されたＯＳＤよりも深い奥行き感をもって表示されるという不具合を無くすことができる。
【０１９７】
４．第４実施形態
以下、第４の実施の形態による映像システムについて説明する。本実施形態による映像システムは、図１５に示された内部構成図に基づき、工業的に生産することができる。
【０１９８】
４−１．構成について
図１５は、第４の実施の形態による映像システム２０００の内部構成を示すブロック図である。本実施形態による映像システム２０００は、第２の再生装置３００と、第２の増幅装置６００と、第２の表示装置４００とを有する。本図において、第２の再生装置３００は、光ディスク１を再生することができる映像再生装置である。第２の再生装置３００は、光ピックアップ２、モータ３、復調回路４、第１のＯＳＤ付加回路５、第３のＣＰＵ３０６、第２のＨＤＭＩ送信回路３０７、第１の出力端子８、第３のリモコン３０９を有する。
【０１９９】
第２の表示装置４００は、第１の入力端子２０１、第２のＥＤＩＤ４０２、第２のＨＤＭＩ受信回路４０３、第３のＯＳＤ付加回路４０４、第４のＣＰＵ４０５、表示パネル２０６、めがね制御回路２０７、立体視めがね２０８、第２のリモコン２０９、第１のオーディオアンプ２１０、第１のスピーカ２１１を有する。
【０２００】
第２の増幅装置６００は、第２の入力端子５０１、第４のＥＤＩＤ６０２、第４のＨＤＭＩ受信回路６０３、第４のＯＳＤ付加回路５０４、第６のＣＰＵ６０５、第４のＨＤＭＩ送信回路６０６、第２のオーディオアンプ５０７、第２の出力端子５０８、第４のリモコン５０９、音声出力端子５１０、第２のスピーカ５１１を有する。
【０２０１】
また、第２の再生装置３００の第１の出力端子８と第２の増幅装置６００の第２の入力端子５０１は、第２のケーブル２０で接続される。第２の増幅装置６００の第２の出力端子５０８と第２の表示装置４００の第１の入力端子２０１は、第３のケーブル２１で接続される。
【０２０２】
本図に示す構成を図６に示された構成と比較すれば、第２の再生装置３００および第２の表示装置４００は、実施形態２による第２の再生装置３００および第２の表示装置４００と同一の構成を有する。
【０２０３】
また、本図に示す構成を図１０に示された構成と比較すれば、第２の増幅装置６００の第２の入力端子５０１、第４のＯＳＤ付加回路５０４、第２のオーディオアンプ５０７、第２の出力端子５０８、第４のリモコン５０９、音声出力端子５１０、第２のスピーカ５１１は、第３実施形態の第１の増幅装置５００のそれらと共通する。第３のＥＤＩＤ５０２は、第４のＥＤＩＤ６０２に置き換えられる。第３のＨＤＭＩ受信回路５０３は、第４のＨＤＭＩ受信回路６０３に置き換えられる。第５のＣＰＵ５０５は、第６のＣＰＵ６０５に置き換えられる。第３のＨＤＭＩ送信回路５０６は、第４のＨＤＭＩ送信回路６０６に置き換えられる。
【０２０４】
第２の増幅装置６００に関し、第４のＥＤＩＤ６０２は、第２の増幅装置６００が有する機能に関する情報が記憶された記憶素子を含み、当該情報をＥＩＡ／ＣＥＡ８６１−Ｄ規格のＥＤＩＤで決められたデータ配列のかたちで記憶する。また、当該記憶素子は、データの書き換えが可能な記憶素子である。また、第４のＥＤＩＤ６０２は、第２の表示装置４００が有する機能に関する情報をＥＩＡ／ＣＥＡ８６１−Ｄ規格のＥＤＩＤで決められたデータ配列のかたちで記憶することができる。
【０２０５】
第４のＨＤＭＩ受信回路６０３は、第２の入力端子５０１を介してＨＤＭＩ信号を受け、立体映像信号、同期信号、音声信号、および、パケット信号を復調する。
【０２０６】
第６のＣＰＵ６０５は、第２の増幅装置６００を制御するマイクロプロセッサである。第６のＣＰＵ６０５は、第４のＯＳＤ付加回路５０４を制御するとともに、第４のリモコン５０９から送られる使用者からの指示に従って、ＯＳＤ情報を生成する。
【０２０７】
第４のＨＤＭＩ送信回路６０６は、第６のＣＰＵ６０５より送られるパケット情報を、第４のＯＳＤ付加回路５０４の立体映像出力等の映像ブランキング期間に付加し、ＨＤＭＩ形式のディジタル映像信号に変調し、第２の出力端子５０８より、第２の表示装置４００へ出力する。
【０２０８】
４−２．動作について
図１６Ａ、図１６Ｂ、および、図１６Ｃは、第４実施形態に係る映像システム２０００（第２の再生装置３００、第２の増幅装置６００、第２の表示装置４００）の動作を示すフローチャートである。以降、第２の再生装置３００と、第２の増幅装置６００と、第２の表示装置４００の動作説明については、このフローチャートを併用する。
【０２０９】
４−２−ａ．映像システム２０００の動作の概要
図１６Ａは、第２の再生装置３００の動作にかかるフローチャートである。図１６Ａを参照すれば、まず、ステップ４０１において、第２の再生装置３００は、第２の再生装置３００のＯＳＤ深度を決定する。
【０２１０】
次に、ステップ４０２において、第２の再生装置３００は、第２の再生装置３００のＯＳＤ表示指示を行うか否かを決定する。ここで表示指示がある場合には、第２の再生装置３００は、ステップ４０３ａにおいて、映像信号に第２の再生装置３００のＯＳＤを付加する。表示指示が無い場合には、第２の再生装置３００は、ＯＳＤを消去する（または、付加しない）（ステップ４０３ｂ）。
【０２１１】
さらにステップ４０４ａにおいて、第２の再生装置３００は、第２の再生装置３００のＯＳＤ情報をパケット化する。また、表示指示が無い場合には（ステップ４０２における「ＮＯ」）、第２の再生装置３００は、ＯＳＤを消去するとともに、ＯＳＤ情報のパケットを消去する（ステップ４０４ｂ）。
【０２１２】
次にステップ４０５において、第２の再生装置３００は、第２の増幅装置６００に映像信号を出力する。
【０２１３】
なお、連続して映像出力する場合には、ステップ４０２からステップ４０５までが繰り返される。
【０２１４】
図１６Ｂは、第２の増幅装置６００の動作にかかるフローチャートである。図１６Ｂを参照すれば、ステップ４０６において、第２の増幅装置６００は、第２の再生装置３００のＯＳＤ深度情報が含まれたパケットを取得する。
【０２１５】
次にステップ４０７において、第２の増幅装置６００は、第２の再生装置３００のＯＳＤ深度情報の有無を判定する。ここで、第２の再生装置３００のＯＳＤ深度情報がある場合には、ステップ４０８ａにおいて、第２の増幅装置６００は、第２の再生装置３００のＯＳＤ深度情報に基づいて、第２の増幅装置６００のＯＳＤ深度を調整する。第２の再生装置３００のＯＳＤ深度情報が無い場合には、第２の増幅装置６００は、予め設定されているデフォルト値を第２の増幅装置６００のＯＳＤ表示深度として選択する（ステップ４０８ｂ）。
【０２１６】
次に、ステップ４０９において、第２の増幅装置６００は、第２の増幅装置６００のＯＳＤ表示指示を行うか否かを決定する。表示指示がある場合には、第２の増幅装置６００は、ステップ４１０ａにおいて、映像信号に第２の増幅装置６００のＯＳＤを付加する。また表示指示が無い場合には、第２の増幅装置６００は、ＯＳＤを消去する（または、付加しない）（ステップ４１０ｂ）。
【０２１７】
さらにステップ４１１において、第２の増幅装置６００は、第２の増幅装置６００のＯＳＤ情報をパケット化する。また表示指示が無い場合には、第２の増幅装置６００は、ＯＳＤを消去する。さらに、第２の増幅装置６００は、パケットを消去する。
【０２１８】
次に、ステップ４１２において、第２の増幅装置６００は、第２の表示装置４００へ映像信号を出力する。
【０２１９】
なお、連続して映像出力する場合には、ステップ４０９からステップ４１２までが繰り返される。
【０２２０】
図１６Ｃは、第２の表示装置４００の動作にかかるフローチャートである。図１６Ｃを参照すれば、ステップ４１３において、第２の表示装置４００は、第２の増幅装置６００のＯＳＤ深度情報が含まれたパケットを取得する。
【０２２１】
次にステップ４１４において、第２の表示装置４００は、第２の増幅装置６００のＯＳＤ深度情報の有無を判定する。ここで、第２の増幅装置６００のＯＳＤ深度情報がある場合には、ステップ４１５ａにおいて、第２の表示装置４００は、第２の増幅装置６００のＯＳＤ深度情報に基づいて、第２の表示装置４００のＯＳＤ表示深度を調整する。第２の増幅装置６００のＯＳＤ深度情報が無い場合には、第２の表示装置４００は、予め設定されているデフォルト値を第２の表示装置４００のＯＳＤ表示深度として選択する（ステップ４１５ｂ）。
【０２２２】
次に、ステップ４１６において、第２の表示装置４００は、第２の表示装置４００のＯＳＤ表示指示を行うか否かを決定する。表示指示がある場合には、第２の表示装置４００は、ステップ４１７ａにおいて、映像信号に第２の表示装置４００のＯＳＤを付加する。また表示指示が無い場合には、第２の表示装置４００は、ＯＳＤを消去する（または、付加しない）（ステップ４１７ｂ）。
【０２２３】
最後に、ステップ４１８において、第２の表示装置４００は、表示パネル２０６に映像を表示する。
【０２２４】
なお、連続して映像表示する場合には、ステップ４１６からステップ４１８までが繰り返される。
【０２２５】
４−２−ｂ．映像システム２０００の動作の詳細
（１）第２の増幅装置６００による自装置のＯＳＤ表示深度の決定
（１ａ）第６のＣＰＵ６０５による第２のＥＤＩＤ４０２の読み取り
第２の増幅装置６００の第６のＣＰＵ６０５は、初期状態において、第２の表示装置４００の第２のＥＤＩＤ２０２の読み取りを行う。第２のＥＤＩＤ４０２の不揮発メモリには、ＥＩＡ／ＣＥＡ８６１−Ｄ規格で規定された映像フォーマットなど、主に第２の表示装置４００が有する機能に関する情報が記録されている。第６のＣＰＵ６０５は、これを第３のケーブル２１を経由したＶＥＳＡ／Ｅ−ＤＤＣ規格で決められたシリアル伝送路によって読み取る。
【０２２６】
（１ｂ）第２の増幅装置６００の第４のＥＤＩＤ６０２の書き込み
更に、第６のＣＰＵ６０５は、第２のＥＤＩＤ４０２から読み取った、第２の表示装置４００が受信可能な映像信号フォーマットに関する情報と、第２の増幅装置６００が受信可能な音声信号フォーマットに関する情報を第４のＥＤＩＤ６０２に記憶する。
【０２２７】
（２）第２の再生装置３００の動作
（２ａ）第３のＣＰＵ３０６による第４のＥＤＩＤ６０２ の読み取り
第２の再生装置３００の第３のＣＰＵ３０６は、初期状態において、第２の増幅装置６００の第４のＥＤＩＤ６０２の読み取りを行う。第４のＥＤＩＤ６０２の不揮発メモリには、第２の表示装置４００が受信可能な映像フォーマットと、第２の増幅装置６００が受信可能な音声フォーマットとが記録されている。第３のＣＰＵ３０６は、これをＶＥＳＡ／Ｅ−ＤＤＣ規格で決められたシリアル伝送路によって読み取る。
【０２２８】
第２の再生装置３００は、第４のＥＤＩＤ６０２の情報に従って、第２の表示装置４００が表示可能な映像フォーマット形式で立体映像信号を、第２の増幅装置６００が増幅可能な音声フォーマット形式で音声信号を、伝送する。
【０２２９】
（２ｂ）映像信号と音声信号の再生
光ディスク１には、ＭＰＥＧ４方式で圧縮された立体映像信号と、音声信号が記録されている。光ピックアップ２は、光ディスク１に記録された信号を電気的信号に変換する。モータ３は、光ディスク１を再生に適した速度で回転させる。
【０２３０】
復調回路４は、光ピックアップ２の出力を入力し、当該入力について誤り訂正などを行い、立体映像信号と音声信号とを復調する。立体映像は右目映像と左目映像がそれぞれ垂直方向に１０８０画素、水平方向に１９２０画素で２４フレーム／秒で独立に記録されている。よって、再生される立体映像も右目映像および左目映像それぞれが垂直方向に１０８０画素、水平方向に１９２０画素で２４フレーム／秒の映像信号となる。
【０２３１】
（２ｃ）第２の再生装置３００のＯＳＤ付加
この様にして再生された立体映像信号の右目映像と左目映像それぞれに、第１のＯＳＤ付加回路５が、必要に応じて第２の再生装置３００のＯＳＤを付加する。この時に、使用者は、第３のリモコン３０９を用いてＯＳＤの表示深度を変更することができる。即ち、使用者が第３のリモコン３０９を用いて表示深度を変える指示を出すと、第３のＣＰＵ３０６はその指示に従って、ＯＳＤ表示深度を、例えば、１２８から１９２の範囲で決定する。第１のＯＳＤ付加回路５は、ＯＳＤ深度情報に従って、左目映像および右目映像それぞれに、オフセットが付加されたＯＳＤを付加する。ＯＳＤ深度情報とＯＳＤの左目映像および右目映像それぞれにおけるオフセット量との関係は第１の実施の形態の表１に示したとおりである。
【０２３２】
オフセット量を１２８から１９２まで変化させることによって、第２の再生装置３００のＯＳＤの画面スクリーンからの飛び出し量（深度）を変化させる事ができる。使用者（観察者）は、自分にとって見やすいＯＳＤ表示位置を選ぶことができる。
【０２３３】
また、第３のＣＰＵ３０６は、この様にして決定されたＯＳＤ深度情報を第２のＨＤＭＩ送信回路３０７に送る。
【０２３４】
以下、本実施形態における説明においては、使用者がオフセット量を“１４０”に設定したものとする。
【０２３５】
（３）映像信号と音声信号の伝送
図１７は第４実施形態における第２の再生装置３００のＨＤＭＩ出力信号の構造を示す図である。
【０２３６】
ＯＳＤが付加された立体映像信号は、第２のＨＤＭＩ送信回路３０７に送られ、図１７に示す様に、左目映像、右目映像がそれぞれ時分割で多重された信号となる。左目映像および右目映像の各フレームはライン構造を持ち、各ライン先頭には水平ブランキング期間を有する。音声信号は、この各水平ブランキング期間に多重されている。また、第２のＨＤＭＩ送信回路３０７は、第３のＣＰＵ３０６より送られてきたＯＳＤ深度情報をパケット化し、立体映像信号の左目映像および右目映像のフレーム間のブランキングに多重する。立体映像信号は、図１７に示す形態の信号となり伝送に適した形式に変換されて、第１の出力端子８より出力される。
【０２３７】
（４）第２の増幅装置６００の動作
（４ａ）第２の増幅装置６００の映像信号と音声信号の受信
第２の入力端子５０１より入力されたＨＤＭＩ信号は、第４のＨＤＭＩ受信回路６０３により受信され、元の立体映像信号と音声信号とパケット信号とに復調される。立体映像信号は、第４のＯＳＤ付加回路５０４に送られる。
【０２３８】
音声信号は第２のオーディオアンプ５０７で増幅され、音声出力端子５１０に出力される。
【０２３９】
音声出力端子５１０には第２のスピーカ５１１が接続されており、音声出力端子５１０から出力される信号を音声に変換し使用者に伝えられる。
【０２４０】
また、第４のＨＤＭＩ受信回路６０３により受信された信号のうち、パケット化されブランキングに多重化されたＯＳＤ深度情報、即ち値“１４０”は第６のＣＰＵ６０５に送られる。
【０２４１】
（４ｂ）第２の増幅装置６００のＯＳＤ表示深度の決定
図１５に示す第６のＣＰＵ６０５は、図１６Ｂのフローチャートに従って第４のＨＤＭＩ受信回路６０３より送られてきたＯＳＤ深度情報、値“１４０”に基づいて、第２の増幅装置６００のＯＳＤ表示深度を決定する。
【０２４２】
即ち、第６のＣＰＵ６０５は、第２の増幅装置６００のＯＳＤが第２の再生装置３００のＯＳＤよりも奥に定位されない様に（より手前に定位されるように）、自装置のＯＳＤ表示深度を決定する。
【０２４３】
第４のＨＤＭＩ受信回路６０３より送られてきた第２の再生装置３００のＯＳＤ深度情報が“１４０”であるので、第２の再生装置３００のＯＳＤオフセットは、１４０−１２８＝＋１２である。よって、第２の再生装置３００のＯＳＤは、１２画素分のオフセットを与えられ、観察者にとって画面スクリーンより手前に見えるように表示される。
【０２４４】
ここで、第６のＣＰＵ６０５は、例えば、第２の増幅装置６００のＯＳＤ深度情報として、”１４０”より大きい“１５０”を選択する。そうすることにより、第２の増幅装置６００のＯＳＤオフセットは、１５０−１２８＝＋２２となる。よって、第２の増幅装置６００のＯＳＤは、２２画素分のオフセットを与えられ、観察者にとって画面スクリーンより手前、かつ、第２の再生装置３００のＯＳＤより手前に見えるように表示される。
【０２４５】
（４ｃ）第２の増幅装置６００のＯＳＤ付加
受信された立体映像信号の右目映像および左目映像それぞれに、必要に応じて第２の増幅装置６００のＯＳＤが付加される。この時に、前述したＯＳＤ深度位置に従って、右目映像および左目映像のＯＳＤ表示深度が制御される。即ち、前述した様に、第２の増幅装置６００ではＯＳＤ深度情報として、“１５０”が決定されたので、右目映像については、ＯＳＤを左に２２画素、左目映像については、ＯＳＤを右に２２画素だけオフセットさせて映像に重畳させることにより、ＯＳＤの飛び出し位置（深度）が決定される。
【０２４６】
（５）映像信号の伝送
図１８は第４実施形態における第２の増幅装置６００のＨＤＭＩ信号出力の構造を示す図である。
【０２４７】
ＯＳＤが付加された立体映像信号は、第４のＨＤＭＩ送信回路６０６に送られ、図１８に示す様に、左目映像、右目映像がそれぞれ時分割で多重された信号となる。左目映像および右目映像の各フレームはライン構造を持ち、各ライン先頭には水平ブランキング期間を有する。また、第４のＨＤＭＩ送信回路６０６では、第６のＣＰＵ６０５より送られてきたＯＳＤ深度情報、即ち値“１５０”をパケット化し、立体映像信号の左目映像および右目映像のフレーム間のブランキングに多重する。立体映像信号は、図１８に示す形態の信号となり伝送に適した形式に変換されて、第２の出力端子５０８より出力される。
【０２４８】
（６）第２の表示装置４００の動作
（６ａ）第２の表示装置４００による映像信号の受信
第１の入力端子２０１より入力されたＨＤＭＩ信号は、第２のＨＤＭＩ受信回路４０３により受信され、元の立体映像信号とパケット信号に復調される。立体映像信号は、第３のＯＳＤ付加回路４０４に送られる。
【０２４９】
また、第２のＨＤＭＩ受信回路４０３により受信された信号のうち、パケット化されブランキングに多重化されたＯＳＤ深度情報、即ち値“１５０”は、第４のＣＰＵ４０５に送られる。
【０２５０】
（６ｂ）第２の表示装置４００のＯＳＤ表示位置の決定
図１５に示す第４のＣＰＵ４０５は、図１６Ｃのフローチャートに従って第２のＨＤＭＩ受信回路４０３より送られてきたＯＳＤ深度情報、値“１５０”に基づいて、第２の表示装置４００のＯＳＤ表示深度を決定する。
【０２５１】
即ち、第４のＣＰＵ４０５は、第２の表示装置４００のＯＳＤが第２の増幅装置６００のＯＳＤよりも奥に定位されない様に（より手前に定位されるように）、自装置のＯＳＤ表示深度を決定する。
【０２５２】
第２のＨＤＭＩ受信回路４０３より送られてきた第２の増幅装置６００のＯＳＤ深度情報が“１５０”であるので、第２の増幅装置６００のＯＳＤオフセットは、１５０−１２８＝＋２２である。第２の増幅装置６００のＯＳＤは、２２画素分のオフセットを与えられ、観察者にとって画面スクリーンより手前、かつ、第２の再生装置３００のＯＳＤより手前に見えるように表示される。
【０２５３】
ここで、第４のＣＰＵ４０５は、例えば、第２の表示装置４００のＯＳＤ深度情報として、”１５０”より大きい“２００”を選択する。そうすることにより、第２の表示装置４００のＯＳＤオフセットは、２００−１２８=＋７２となる。よって、第２の表示装置４００のＯＳＤは、７２画素分のオフセットを与えられ、観察者にとって画面スクリーンより手前、かつ、第２の増幅装置６００のＯＳＤより手前に見えるように表示される。
【０２５４】
（６ｃ）第２の表示装置４００によるＯＳＤ付加
受信された立体映像信号の右目映像および左目映像それぞれに、必要に応じて第２の表示装置４００のＯＳＤが付加される。この時に、前述したＯＳＤ深度位置に従って、右目映像および左目映像のＯＳＤ表示深度が制御される。即ち、前述した様に、第２の表示装置４００ではＯＳＤ深度情報として、“２００”が設定されたので、右目映像については、ＯＳＤを左に７２画素、左目映像については、ＯＳＤを右に７２画素だけオフセットさせて映像に重畳させることにより、ＯＳＤの飛び出し位置（深度）が決定される。
【０２５５】
（６ｄ）表示パネル２０６の駆動と立体視めがね２０８の制御
第２の表示装置４００において、表示パネル２０６には、左目映像、右目映像が時分割で送られ、・・・左・右・左・右・・・・・と順次に表示される。立体視めがね２０８には、左右独立で光の透過および不透過を制御可能な液晶シャッタが具備されている。立体視めがね２０８は、めがね制御回路２０７からの赤外線信号に応じて、表示パネル２０６が左目映像を出画している期間は右のシャッタを閉じ、表示パネル２０６が右目映像を出画している期間は左のシャッタを閉じるように立体視めがね２０８を制御する。そうすることで、観察者（使用者）の右目には右目映像のみ、左目には左目映像のみが導かれる。よって、使用者は映像を立体視できる。
【０２５６】
４−３．まとめ
第４の実施の形態による第２の増幅装置６００は、第２の再生装置３００から立体視可能な映像である立体映像を含んだ第１立体映像信号を受信し、立体映像とは別の映像である増幅装置映像（ＯＳＤ）を立体映像に重畳して第２立体映像信号を生成し、第２の表示装置４００へ送信することができる増幅装置である。
【０２５７】
第２の増幅装置６００は、第１立体映像信号を受信する受信部（第４のＨＤＭＩ受信回路６０３）と、立体映像に対し立体映像とは別の映像である再生装置映像（ＯＳＤ）を重畳する第２の再生装置３００が、当該重畳の際に再生装置映像に付与する立体視深度である再生装置映像深度に関する情報を取得する取得部（第６のＣＰＵ６０５）と、取得部が取得した再生装置映像深度に関する情報にもとづいて、増幅装置映像に増幅装置映像深度を付与し立体映像に重畳することにより第２立体映像信号を生成する重畳部（第４のＯＳＤ付加回路５０４）と、第２立体映像信号を、第２の表示装置４００へ送信する送信部（第４のＨＤＭＩ送信回路６０６）と、を有する。
【０２５８】
第４の実施の形態による映像システム２０００は、第２の再生装置３００と、第２の表示装置４００と、第２の増幅装置６００と、を有する映像システムである。
【０２５９】
第２の再生装置３００は、立体視可能な映像である立体映像に対し、立体映像とは別の映像である再生装置映像（ＯＳＤ）を重畳して第１立体映像信号を生成し出力することができる再生装置である。第２の再生装置３００は、再生装置映像に所定の立体視深度である再生装置映像深度を付与し立体映像に重畳することにより第１立体映像信号を生成する重畳部（第１のＯＳＤ付加回路５）と、第１立体映像信号を、第２の増幅装置６００へ送信する送信部と、を有する。
【０２６０】
第２の増幅装置６００は、第２の再生装置３００から第１立体映像信号を受信し、立体映像とは別の映像である増幅装置映像（ＯＳＤ）を立体映像に重畳して第２立体映像信号を生成し、第２の表示装置４００へ送信することができる増幅装置である。第２の増幅装置６００は、第１立体映像信号を受信する受信部（第４のＨＤＭＩ受信回路６０３）と、再生装置映像深度に関する情報を取得する取得部（第６のＣＰＵ６０５）と、取得部が取得した再生装置映像深度に関する情報にもとづいて、増幅装置映像に増幅装置映像深度を付与し立体映像に重畳することにより第２立体映像信号を生成する重畳部（第４のＯＳＤ付加回路５０４）と、第２立体映像信号を、第２の表示装置４００へ送信する送信部（第４のＨＤＭＩ送信回路６０６）と、を有する。
【０２６１】
第２の表示装置４００は、第２の増幅装置６００から第２立体映像信号を受信し、立体映像とは別の映像である表示装置映像（ＯＳＤ）を立体映像に重畳して表示することができる表示装置である。第２の表示装置４００は、第２立体映像信号を受信する受信部（第２のＨＤＭＩ受信回路４０３）と、増幅装置映像深度に関する情報を取得する取得部（第４のＣＰＵ４０５）と、取得部が取得した増幅装置映像深度に関する情報にもとづいて、表示装置映像に表示装置映像深度を付与し立体映像に重畳することにより第３立体映像信号を生成する重畳部（第３のＯＳＤ付加回路４０４）と、第３立体映像信号にもとづいて映像を表示する表示部（表示パネル２０６）と、を有する。
【０２６２】
図１９は、本実施の形態における複数のＯＳＤの各表示深度を示す図である。
【０２６３】
図１９に示すように、本実施の形態においては、第２の増幅装置６００が、第２の再生装置３００のＯＳＤ深度情報に基づいて、第２の増幅装置６００のＯＳＤ表示深度を制御する。また、第２の表示装置４００が、第２の増幅装置６００のＯＳＤ深度情報に基づいて、第２の表示装置４００のＯＳＤ表示深度を制御する。これによって、図１９に示すように、第２の増幅装置６００のＯＳＤは、観察者にとって第２の再生装置３００のＯＳＤより手前に見えるように表示される。また、第２の表示装置４００のＯＳＤは、観察者にとって第２の増幅装置６００のＯＳＤより手前に見えるように表示される。その結果、より後から映像に上描きされて付加されるＯＳＤがより以前に映像に上描きされて付加されたＯＳＤよりも深い奥行き感をもって表示されるという不具合を無くすことができる。
【０２６４】
５．第５の実施の形態
以下、第５の実施の形態による再生装置および表示装置について説明する。本実施形態における再生装置および表示装置は、図２０に示された内部構成図に基づき、工業的に生産することができる。
【０２６５】
５−１．構成について
図２０は、第５の実施の形態による第３の再生装置７００と第３の表示装置８００の内部構成を示すブロック図である。本図において、第３の再生装置７００は、光ディスク１を再生することができる映像再生装置である。第３の再生装置７００は、光ピックアップ２、モータ３、復調回路４、第５のＯＳＤ付加回路７０５、第７のＣＰＵ７０６、第１のＨＤＭＩ送信回路７、第１の出力端子８、第１のリモコン９を有する。
【０２６６】
第３の表示装置８００は、第１の入力端子２０１、第５のＥＤＩＤ８０２、第１のＨＤＭＩ受信回路２０３、第６のＯＳＤ付加回路８０４、第８のＣＰＵ８０５、表示パネル２０６、めがね制御回路２０７、立体視めがね２０８、第２のリモコン２０９、第１のオーディオアンプ２１０、第１のスピーカ２１１を有する。
【０２６７】
また、第３の再生装置７００の第１の出力端子８と第３の表示装置８００の第１の入力端子２０１は、第１のケーブル１０で接続される。
【０２６８】
本図に示す構成を図１に示された構成と比較すれば、第３の再生装置７００の光ピックアップ２、モータ３、復調回路４、第１のＨＤＭＩ送信回路７、第１の出力端子８、第１のリモコン９は、第１実施形態の第１の再生装置１００のそれらと共通する。第１のＣＰＵ６は、第７のＣＰＵ７０６に置き換えられる。第１のＯＳＤ付加回路５は、第５のＯＳＤ付加回路７０５に置き換えられる。
【０２６９】
また、第３の表示装置８００の第１の入力端子２０１、第１のＨＤＭＩ受信回路２０３、表示パネル２０６、めがね制御回路２０７、立体視めがね２０８、第２のリモコン２０９、第１のオーディオアンプ２１０、第１のスピーカ２１１は、第１実施形態の第１の表示装置２００のそれらと共通する。第１のＥＤＩＤ２０２は、第５のＥＤＩＤに置き換えられる。第２のＯＳＤ付加回路２０４は、第６のＯＳＤ付加回路８０４に置き換えられる。第２のＣＰＵ２０５は、第８のＣＰＵ８０５に置き換えられる。
【０２７０】
第５のＯＳＤ付加回路７０５は、復調回路４が出力する立体映像信号に含まれる左目映像および右目映像それぞれの映像信号に、立体文字（立体視可能な文字）や立体アイコン（立体視可能なアイコン）で構成される情報（立体ＯＳＤ）の立体映像（以下、「立体ＯＳＤ」とも略称する。）を上描き（スーパーインポーズ）して出力する。
【０２７１】
第７のＣＰＵ７０６は、第３の再生装置７００を制御するマイクロプロセッサである。第７のＣＰＵ７０６は、第５のＯＳＤ付加回路７０５を制御するとともに、第１のリモコン９から送られる使用者の操作や復調回路４によって得られる再生情報に基づき、必要に応じて立体ＯＳＤ情報を生成する。
【０２７２】
第３の表示装置８００に関し、第５のＥＤＩＤ８０２は、第３の表示装置８００が有する機能に関する情報が記憶された記憶素子を含み、当該情報をＥＩＡ／ＣＥＡ８６１−ＤのＥＤＩＤ規格で決められたデータ配列のかたちで記憶する。本実施形態においては、第５のＥＤＩＤ８０２は、更に、その中に、後述する第３の表示装置８００の立体ＯＳＤの最深深度を示す情報、すなわち立体ＯＳＤ最深深度情報が付記されている。なお、第５のＥＤＩＤ８０２は、立体ＯＳＤの深度の範囲の情報、すなわち、立体ＯＳＤ最深深度情報および立体ＯＳＤ最浅深度情報を含んだ立体ＯＳＤ深度情報を記憶してもよい。
【０２７３】
第６のＯＳＤ付加回路８０４は、第１のＨＤＭＩ受信回路２０３から出力される立体映像信号の左目映像および右目映像それぞれの映像信号に、立体文字や立体アイコン情報の映像（立体ＯＳＤ）を上描き（スーパーインポーズ）して出力する。
【０２７４】
第８のＣＰＵ８０５は、第３の表示装置８００を制御するマイクロプロセッサである。第８のＣＰＵ８０５は、第６のＯＳＤ付加回路８０４を制御するとともに、第２のリモコン２０９から送られる使用者からの指示に従って、立体ＯＳＤ最深深度情報を含む立体ＯＳＤ情報を生成する。
【０２７５】
５−２．動作について
図２１Ａおよび図２１Ｂは、第５実施形態に係る第３の再生装置７００と第３の表示装置８００の動作を示すフローチャートである。以降、第３の再生装置７００と第３の表示装置８００の動作説明については、このフローチャートを併用する。
【０２７６】
５−２−ａ．第３の再生装置７００および第３の表示装置８００の動作の概要
図２１Ａは、第３の再生装置７００の動作にかかるフローチャートである。図２１Ａを参照すれば、まずステップ５０１において、第３の再生装置７００は、第３の表示装置８００の立体ＯＳＤ深度情報に含まれる立体ＯＳＤ最深深度情報を取得する。
【０２７７】
次に、ステップ５０２において、第３の再生装置７００は、第３の表示装置８００の立体ＯＳＤ最深深度情報の有無を判定する。ここで第３の表示装置８００の立体ＯＳＤ最深深度情報がある場合には、ステップ５０３ａにおいて、第３の表示装置８００の立体ＯＳＤ最深深度情報に基づいて、第３の再生装置７００の立体ＯＳＤ表示深度を調整する。ステップ５０２ｂにおいて、第３の表示装置８００の立体ＯＳＤ最深深度情報が無い場合には、第３の再生装置７００は、予め設定されているデフォルト値を第３の再生装置７００の立体ＯＳＤ表示深度として選択する（ステップ５０３ｂ）。
【０２７８】
次に、ステップ５０４において、第３の再生装置７００は、第３の再生装置７００の立体ＯＳＤ表示指示を行うか否かを決定する。ここで、表示指示がある場合には、第３の再生装置７００は、ステップ５０５ａにおいて、映像信号に第３の再生装置７００の立体ＯＳＤを付加する。表示指示が無い場合には、第３の再生装置７００は、立体ＯＳＤを消去する（または、付加しない）（ステップ５０５ｂ）。
【０２７９】
次にステップ５０６において、第３の再生装置７００は、第３の表示装置８００に映像信号を出力する。
【０２８０】
なお、連続して映像出力する場合には、ステップ５０４からステップ５０６までが繰り返される。
【０２８１】
図２１Ｂは、第３の表示装置８００の動作にかかるフローチャートである。図２１Ｂを参照すれば、ステップ５０７において、第３の表示装置８００は、第３の表示装置８００の立体ＯＳＤ表示指示を行うか否かを決定する。ここで表示指示がある場合には、第３の表示装置８００は、ステップ５０８ａにおいて、映像信号に第３の表示装置８００の立体ＯＳＤを付加する。また表示指示が無い場合には、第３の表示装置８００は、立体ＯＳＤを消去する（または、付加しない）（ステップ５０８ｂ）。
【０２８２】
最後に、ステップ５０９において、第３の表示装置８００は、表示パネル２０６に映像を表示する。
【０２８３】
なお、連続して映像表示する場合には、ステップ５０７からステップ５０９までが繰り返される。
【０２８４】
５−２−ｂ．第３の再生装置７００および第３の表示装置８００の動作の詳細
（１）第３の再生装置７００の動作
（１ａ）第７のＣＰＵ７０６による第５のＥＤＩＤ８０２の読み取り
第３の再生装置７００の第７のＣＰＵ７０６は、初期状態またはステップ５０１において、第３の表示装置８００の第５のＥＤＩＤ８０２の読み取りを行う。第５のＥＤＩＤ８０２の不揮発メモリには、ＥＩＡ／ＣＥＡ８６１−Ｄ規格で規定された映像フォーマットなど、主に第３の表示装置８００が有する機能に関する情報と共に、後述する立体ＯＳＤの最深深度情報が記録されている。第７のＣＰＵ７０６は、これを第１のケーブル１０を経由したＶＥＳＡ／Ｅ−ＤＤＣ規格で決められたシリアル伝送路によって読み取る。
【０２８５】
第３の再生装置７００は、第５のＥＤＩＤ８０２の情報に従って、第３の表示装置８００が表示可能な映像フォーマット形式で映像信号と音声信号を伝送する。
【０２８６】
（１ｂ）ＯＳＤ表示深度の制御
立体ＯＳＤ深度情報と、立体ＯＳＤの左目映像および右目映像それぞれにおけるオフセット量との関係は第１の実施の形態における表１等を用いた説明から容易に理解される。そのため、立体ＯＳＤ深度情報とオフセット量との関係についての説明は省略する。
【０２８７】
第５実施形態におけるＯＳＤは、３次元（立体）のオブジェクト、すなわち立体視可能なオブジェクトを含んだ立体ＯＳＤで構成される。立体ＯＳＤは、左目映像用立体ＯＳＤおよび右目映像用立体ＯＳＤそれぞれがグラフィックビットマップとして構成される。また、立体ＯＳＤの表示される深度（立体映像の前後位置）は深度範囲も含め可変である。
【０２８８】
図２２は立体ＯＳＤにおける深度（奥行き感）の原理を説明する図である。立体ＯＳＤとして表示される立体文字や立体アイコンなどの情報を立体ＯＳＤとして表示する際の深度は、第３の再生装置７００および第３の表示装置８００において決定される。３次元の深度方向（立体視における奥行き方向）の位置は、立体ＯＳＤが左目映像および右目映像それぞれに重畳される際のオフセット値に反映される。即ち、図２２において、第３の再生装置７００の立体ＯＳＤは、左目映像および右目映像それぞれにおいて１０画素分のオフセット値域Ｗ１を有する。第３の表示装置８００の立体ＯＳＤは、左目映像および右目映像それぞれにおいて５０画素分のオフセット値域Ｗ２を有する。第３の表示装置８００の立体ＯＳＤの最深深度、即ち第３の表示装置８００の立体ＯＳＤのうち観察者にとって最も遠い位置に見えるように表示される立体ＯＳＤのオフセット量は２２である。この場合、表１に示した深度情報とオフセットの関係によれば、第３の表示装置８００の立体ＯＳＤ最深深度情報は１２８＋２２＝１５０となる。本実施形態における第３の表示装置８００においては、上記の様に決められる立体ＯＳＤ最深深度情報、即ち、値１５０が、第５のＥＤＩＤ８０２の所定位置に記録されている。
【０２８９】
（１ｃ）第３の再生装置７００の立体ＯＳＤ表示深度の決定
図２０に示す、第３の再生装置７００の第７のＣＰＵ７０６は、図２１Ａに示すフローチャートに従い、第５のＥＤＩＤ８０２に記録された第３の表示装置８００の立体ＯＳＤ最深深度情報を読み取り、その値（第３の表示装置８００の立体ＯＳＤ最深深度情報）に基づいて、第３の再生装置７００の立体ＯＳＤ表示深度を決定する。
【０２９０】
即ち、第７のＣＰＵ７０６は、第３の再生装置７００の立体ＯＳＤが第３の表示装置８００の立体ＯＳＤよりも手前に定位されない様に（より奥に定位されるように）、自装置の立体ＯＳＤ深度位置を決定する。
【０２９１】
例えば、第３の表示装置８００の第５のＥＤＩＤ８０２に格納されていた値（立体ＯＳＤ最深深度情報）が“１５０”である場合には、第３の表示装置８００の立体ＯＳＤのうち最も奥に定位されるオブジェクトのオフセットは、１５０−１２８＝＋２２である。よって、第３の表示装置８００の立体ＯＳＤは、最も奥に定位されるオブジェクトに２２画素分のオフセットが与えられ、観察者にとって画面スクリーンより手前に見えるように表示される。
【０２９２】
ここで、第３の再生装置７００の第７のＣＰＵ７０６は、第３の再生装置７００の立体ＯＳＤ表示の表示深度うちで最も手前の深度（最浅深度）が、第３の表示装置８００が表示する立体ＯＳＤのうちで最も奥の深度（最深深度）と一致またはより奥になる様に自装置の立体ＯＳＤの深度を設定する。そうすることにより、第３の再生装置７００の立体ＯＳＤと第３の表示装置８００の立体ＯＳＤの奥行き感がオーバーラップしないようにする。例えば、第３の表示装置８００の立体ＯＳＤ最深深度情報として第５のＥＤＩＤ８０２に格納されていた値が”１５０”であるとする。また、図２２に示したように第３の再生装置７００の立体ＯＳＤが１０画素分のオフセット量の幅（オフセット値域Ｗ１）を有するとする。この場合、第３の再生装置７００は、自装置の立体ＯＳＤにかかる立体ＯＳＤ最深深度情報として、例えば１４０（１５０−１０＝１４０）を選択する。そうすることにより、第３の再生装置７００の立体ＯＳＤにかかるオフセット値域Ｗ１は、１２（１４０−１２８＝１２）から２２（１２＋１０＝２２）までになる。他方、第３の表示装置８００の立体ＯＳＤは、オフセット値“＋２２”以上のオフセットを与えられて表示される。よって、第３の再生装置７００の立体ＯＳＤは、観察者にとって第３の表示装置８００の立体ＯＳＤより奥に見えるように表示される。
【０２９３】
（１ｄ）映像信号と音声信号の再生
光ディスク１には、ＭＰＥＧ４方式で圧縮された立体映像信号と、音声信号が記録されている。光ピックアップ２は、光ディスク１に記録された信号を電気的信号に変換する。モータ３は、光ディスク１を再生に適した速度で回転させる。
【０２９４】
復調回路４は、光ピックアップ２の出力を入力し、当該入力について誤り訂正などを行い、立体映像信号と音声信号とを復調する。立体映像は右目映像と左目映像がそれぞれ垂直方向に１０８０画素、水平方向に１９２０画素で２４フレーム／秒で独立に記録されている。よって、再生される立体映像も右目映像および左目映像それぞれが垂直方向に１０８０画素、水平方向に１９２０画素で２４フレーム／秒の映像信号となる。
【０２９５】
（１ｅ）第３の再生装置７００の立体ＯＳＤ付加
この様にして再生された立体映像信号の右目映像と左目映像それぞれに、第５のＯＳＤ付加回路７０５が、必要に応じて第３の再生装置７００の立体ＯＳＤを付加する。この時に、前述した立体ＯＳＤ深度情報に従って、右目映像および左目映像それぞれの立体ＯＳＤ表示位置が制御される。即ち、前述した様に、第３の再生装置７００の立体ＯＳＤ（最深）深度情報として、予め“１４０”が選択されており、前述した様に、第３の再生装置７００の立体ＯＳＤオフセットの幅が１０である。よって第３の再生装置７００の立体ＯＳＤは、右目映像において立体ＯＳＤ情報は左に１０画素から２２画素までの間、左目映像において立体ＯＳＤ情報は右に１０画素から２２画素までの間のオフセットで表示される。
【０２９６】
（２）映像信号と音声信号の伝送
図２３は本実施形態におけるＨＤＭＩ信号の構造を示す図である。
【０２９７】
立体ＯＳＤが付加された立体映像信号は、第１のＨＤＭＩ送信回路７に送られ、図２３に示す様に、左目映像、右目映像がそれぞれ時分割で多重された信号となる。左目映像および右目映像の各フレームはライン構造を持ち、各ライン先頭には水平ブランキング期間を有する。音声信号は、この各水平ブランキング期間に多重されている。
【０２９８】
そのようにして立体映像、音声信号が多重された信号が、伝送に適した形式に変換されて、第１の出力端子８より出力される。
【０２９９】
（３）第３の表示装置８００の動作
（３ａ）第３の表示装置８００による映像信号と音声信号の受信
第１の入力端子２０１より入力されたＨＤＭＩ信号は、第１のＨＤＭＩ受信回路２０３により受信され、元の立体映像信号と音声信号に復調される。立体映像信号は、第６のＯＳＤ付加回路８０４に送られる。
【０３００】
音声信号は第１のオーディオアンプ２１０で増幅され、第１のスピーカ２１１より使用者に伝えられる。
【０３０１】
（３ｂ）第３の表示装置８００の立体ＯＳＤ付加
受信された立体映像信号の右目映像と左目映像それぞれに、必要に応じて第３の表示装置８００の立体ＯＳＤが付加される。この時に、前述した立体ＯＳＤ深度情報に従って、右目映像および左目映像の立体ＯＳＤ表示深度が制御される。即ち、前述した様に、第３の表示装置８００では立体ＯＳＤ（最深）深度情報として、予め“１５０”が設定されており、前述した様に、第３の表示装置８００の立体ＯＳＤオフセット（オフセットの幅、オフセット値域）は５０である。よって第３の表示装置８００の立体ＯＳＤは、右目映像については左に２２画素から７２画素までのオフセットを、左目映像については右に２２画素から７２画素までのオフセットを付けて映像に重畳させることにより立体ＯＳＤの飛び出し位置（震度）が決定される。
【０３０２】
（３ｃ）表示パネル２０６の駆動と立体視めがね２０８の制御
第３の表示装置８００において、表示パネル２０６には、左目映像、右目映像が時分割で送られ、・・・左・右・左・右・・・・・と順次に表示される。立体視めがね２０８には、左右独立で光の透過および不透過を制御可能な液晶シャッタが具備されている。立体視めがね２０８は、めがね制御回路２０７からの赤外線信号に応じて、表示パネル２０６が左目映像を出画している期間は右のシャッタを閉じ、表示パネル２０６が右目映像を出画している期間は左のシャッタを閉じるように立体視めがね２０８を制御する。そうすることで、観察者の右目には右目映像のみ、左目には左目映像のみが導かれる。よって、観察者は映像を立体視できる。
【０３０３】
５−３．まとめ
第３の再生装置７００は、第３の表示装置８００の立体ＯＳＤ深度情報に基づいて、第３の再生装置７００のＯＳＤの表示深度を制御することができる。また、第３の再生装置７００は、観察者にとって異なる奥行き感で見える部分を含んだ立体ＯＳＤを生成することができる。
【０３０４】
よって、図２１に示す様に、第３の再生装置７００の立体ＯＳＤは、観察者にとって第３の表示装置８００のＯＳＤの最深深度と同一、または、より奥に見えるように表示される。したがって、後から付加される立体ＯＳＤが前に付加された立体ＯＳＤより奥に表示されるという不具合を無くす事ができる。
【０３０５】
６．その他の実施の形態
上述のように、複数の実施形態を例示した。しかし、実施の形態は、これらに限定されるものではない。以下では、他の実施形態例を示す。なお、実施の形態は、これらには限定されない。
【０３０６】
第１の実施の形態では、第１の再生装置１００が、ＯＳＤ表示深度を決定しＯＳＤを生成する決定部である第１のＣＰＵ６と、第１のＣＰＵ６が生成したＯＳＤを映像信号に重畳して出力する重畳部である第１のＯＳＤ付加回路５と、第１のＯＳＤ付加回路５が出力した映像信号を第１の表示装置２００へ送信する映像送信部である第１のＨＤＭＩ送信回路７と、を備える形態を例示した。
【０３０７】
しかし、本実施形態はこれに限定されない。例えば、第１の再生装置１００にそのＯＳＤの深度に関する情報を第１の表示装置２００に通知する通知部を、別途設けてもよい。また、第１の再生装置１００の映像送信部（第１のＨＤＭＩ送信回路７）が上記通知部の機能を備えてもよい。
【０３０８】
このような構成によれば、第１の表示装置２００は、映像信号の受信の有無に関わらず、第１の再生装置１００のＯＳＤの深度に関する情報を得ることができる。
【０３０９】
第１の実施の形態では、第１の再生装置１００で生成されたＯＳＤが、観察者にとって第１の表示装置２００で生成されたＯＳＤよりも奥に見えるように表示される形態を例示した。
【０３１０】
しかし本実施形態はこれに限定されない。例えば、第１の再生装置１００で生成されたＯＳＤが、観察者にとって第１の表示装置２００で生成されたＯＳＤと同一平面上に見えるように表示されてもよい。
【０３１１】
このような構成によっても、後から付加されるＯＳＤが、観察者にとって、より以前に付加されたＯＳＤより奥に見えることはないので、観察者にとって視認性の高いＯＳＤ表示を実現できる。
【０３１２】
第２の実施の形態では、第２の表示装置４００が、第２の再生装置３００から送信された映像信号に重畳されたＯＳＤの深度に関する情報を含むＯＳＤ深度情報に基づいて、第２の表示装置４００で生成されるＯＳＤの深度であるＯＳＤ表示深度を調整して、ＯＳＤ表示深度を決定しＯＳＤを生成する決定部である第４のＣＰＵを備える形態を例示した。
【０３１３】
しかし、本実施形態はこれに限定されない。例えば、第２の表示装置４００にそのＯＳＤの深度に関する情報を第２の再生装置３００に通知する通知部（深度情報送信部）を、別途設けてもよい。
【０３１４】
このような構成によれば、第２の再生装置３００は、予め第２の表示装置４００のＯＳＤの深度に関する情報を得ることができる。
【０３１５】
第２の実施の形態では、第２の表示装置４００で生成されたＯＳＤが、観察者にとって第２の再生装置３００で生成されたＯＳＤよりも手前に見えるように表示される形態を例示した。
【０３１６】
しかし本実施形態はこれに限定されない。例えば、第２の表示装置４００で生成されたＯＳＤが、観察者にとって第２の再生装置３００で生成されたＯＳＤと同一平面上に見えるように表示されてもよい。
【０３１７】
このような構成によっても、後から付加されるＯＳＤが、観察者にとって、より以前に付加されたＯＳＤより奥に見えることはないので、観察者にとって視認性の高いＯＳＤ表示を実現できる。
【０３１８】
第３の実施の形態では、第１の再生装置１００のＯＳＤが、観察者にとって第１の増幅装置５００のＯＳＤより奥に見えるように表示され、かつ、第１の表示装置２００のＯＳＤが、観察者にとって第１の増幅装置５００のＯＳＤより手前に見えるように表示される形態を例示した。
【０３１９】
しかし本実施形態は、これに限定されない。例えば、第１の増幅装置５００の決定部である第５のＣＰＵ５０５は、観察者にとって第１の表示装置２００のＯＳＤと第１の増幅装置５００のＯＳＤとが同一平面上に見えるように、第１の増幅装置５００のＯＳＤの深度を調整してもよい。また、第１の再生装置１００の決定部である第１のＣＰＵ６は、観察者にとって第１の再生装置１００のＯＳＤと第１の増幅装置５００のＯＳＤとが同一平面上に見えるように、生成するＯＳＤの深度を調整してもよい。
【０３２０】
このような構成によっても、後から付加されるＯＳＤが、観察者にとって、より以前に付加されたＯＳＤより奥に見えることはないので、観察者にとって視認性の高いＯＳＤ表示を実現できる。
【０３２１】
また、第１の増幅装置５００にそのＯＳＤの深度に関する情報を、少なくとも第１の再生装置１００および第１の表示装置２００のいずれかに通知する通知部を、別途設けてもよい。
【０３２２】
第４の実施の形態では、第２の増幅装置６００のＯＳＤが、観察者にとって第２の再生装置３００のＯＳＤより手前に見えるように表示され、かつ、第２の表示装置４００のＯＳＤが、観察者にとって第２の増幅装置６００のＯＳＤより手前に見えるように表示される形態を例示した。
【０３２３】
しかし本実施形態は、これに限定されない。例えば、第２の増幅装置６００の決定部である第６のＣＰＵ６０５は、観察者にとって第２の増幅装置６００のＯＳＤと第２の再生装置３００のＯＳＤとが同一平面上に見えるように、第２の増幅装置６００のＯＳＤの深度を調整してもよい。また、第２の表示装置４００の決定部である第４のＣＰＵ４０５は、観察者にとって第２の表示装置４００のＯＳＤと第２の増幅装置６００のＯＳＤとが同一平面上に見えるように、第２の表示装置４００のＯＳＤの深度を調整してもよい。
【０３２４】
このような構成によっても、後から付加されるＯＳＤが、観察者にとって、より以前に付加されたＯＳＤより奥に見えることはないので、観察者にとって視認性の高いＯＳＤ表示を実現できる。
【０３２５】
また、第２の増幅装置６００にそのＯＳＤの深度に関する情報を、少なくとも第２の再生装置３００および第２の表示装置４００のいずれかに通知する通知部を、別途設けてもよい。
【０３２６】
第５の実施の形態では、第３の再生装置７００が、第３の表示装置８００の立体ＯＳＤ（最深）深度情報に従って、第３の再生装置７００の立体ＯＳＤ表示深度を制御する形態を例示した。
【０３２７】
しかし実施形態はこれには限られない。例えば、第３の再生装置７００のＯＳＤまたは第３の表示装置８００のＯＳＤのいずれか一方のみが立体ＯＳＤであってもよい。さらに、第１の実施の形態から第４の実施の形態まで説明したＯＳＤのいずれかが立体ＯＳＤであってもよい。
【０３２８】
なお、第１の実施の形態から第５の実施の形態では、再生装置として光ディスク１を再生する装置を例示したが、実施形態はこれに限定されない。フラッシュメモリに記憶された映像を再生する再生装置や、ハードディスクドライブに記憶された映像を再生する再生装置などにも、実施形態の再生装置の構成を適用可能である。要するに、ＯＳＤを表示する機能を有するあらゆる再生装置およびＯＳＤを表示する機能を有するあらゆる再生装置を有する映像システムに、実施形態の再生装置の構成を適用可能である。
【０３２９】
第１の実施の形態から第５の実施の形態では、表示装置として、垂直方向に１０８０画素、水平方向に１９２０画素を持つ表示パネル２０６を備える装置を例示したが、実施形態はこれに限定されない。表示パネルの解像度として、例えば、垂直方向に２１６０画素、水平方向に３８４０画素を持つ表示パネルを備える表示装置などにも、実施形態の表示装置の構成を適用可能である。実施形態の表示装置の解像度について一切の限定事項はない。要するに、ＯＳＤを表示する機能を有するあらゆる表示装置およびＯＳＤを表示する機能を有するあらゆる表示装置を有する映像システムに、実施形態の表示装置の構成を適用可能である。
【０３３０】
第１の実施の形態から第５の実施の形態では、ＯＳＤ深度情報は８ｂｉｔのデータとして記憶され適宜読み出される形態を例示したが、実施形態はこれに限定されない。実施の形態においては、ＯＳＤ深度情報は、任意の有界な範囲で適宜設定すればよい。要するに、実施形態においては、ＯＳＤ深度情報が再生装置、表示装置それぞれに設定されさえすればよい。ＯＳＤ深度情報が再生装置、表示装置および増幅装置それぞれに設定される映像システムであれば、実施形態の構成を適用可能である。
【０３３１】
なお、他にも、ストリーム情報との関連、構成要素のシステムＬＳＩ化、アーキテクチャなどの技術的トピックについては、更なる改良や変更実施を加えることができる。各実施形態に示したとおりに実施するか、それらに改良・変更を施すかは、何れも任意的であり、実施者の主観による判断に委ねられる。
【０３３２】
再生装置は、光ディスクプレーヤ、チューナ、ハードディスクプレーヤ、メモリカードプレーヤ等を含む。再生装置は、表示装置にとってのソース機器を構成する。増幅装置は、ソース機器から立体映像信号を受け、シンク機器へ当該立体映像信号を送出する機能を備えたＡＶアンプ等を含む。表示装置は、液晶ディスプレイ、プラズマディスプレイ等を含む。表示装置は、再生装置にとってのシンク機器を構成する。
【０３３３】
なお、再生装置および表示装置の両者が、増幅装置のＯＳＤ深度情報を取得し、再生装置は、そのＯＳＤが観察者にとって増幅装置のＯＳＤよりも奥に見えるように、自装置のＯＳＤの表示深度を選択し、表示装置は、そのＯＳＤが観察者にとって増幅装置のＯＳＤよりも手前に見えるように、自装置のＯＳＤの表示深度を選択してもよい。
【０３３４】
なお、再生装置、増幅装置、および、表示装置それぞれが、自装置において生成し立体映像（コンテンツや放送番組の映像）に上描き（スーパーインポーズ）する映像は、ＯＳＤに限定されない。ここでは、そのように立体映像に重畳される映像を装置映像（再生装置映像、増幅装置映像、および、表示装置映像）と称する。装置映像は、各装置が生成して立体映像に上描き（重畳、スーパーインポーズ）する映像を全て含む。
【０３３５】
なお、実施の形態では、立体映像信号は、左目映像および右目映像が独立したフレームとして含まれるフレームシーケンシャル方式の立体映像信号として説明した。しかしながら、実施形態における立体映像信号は、これに限定されない。実施の形態は、サイドバイサイド方式やトップアンドボトム方式といった、左目映像および右目映像が同一のフレームに含まれる方式の立体映像信号に適用することも可能である。
【産業上の利用可能性】
【０３３６】
本実施形態による再生装置、表示装置、増幅装置は、いずれも、観察者にとって視認性の高いＯＳＤ表示を実現することができ、有用である。
【符号の説明】
【０３３７】
１    光ディスク
２    光ピックアップ
３    モータ
４    復調回路
５    第１のＯＳＤ付加回路
６    第１のＣＰＵ
７    第１のＨＤＭＩ送信回路
８    第１の出力端子
９    第１のリモコン
１０    第１のケーブル
２０    第２のケーブル
１００    第１の再生装置
２００    第１の表示装置
２０１    第１の入力端子
２０２    第１のＥＤＩＤ
２０３    第１のＨＤＭＩ受信回路
２０４    第２のＯＳＤ付加回路
２０５    第２のＣＰＵ
２０６    表示パネル
２０７    めがね制御回路
２０８    立体視めがね
２０９    第２のリモコン
２１０    第１のオーディオアンプ
２１１    第１のスピーカ
３００    第２の再生装置
３０６    第３のＣＰＵ
３０７    第２のＨＤＭＩ送信回路
３０９    第２のリモコン
４００    第２の表示装置
４０２    第２のＥＤＩＤ
４０３    第２のＨＤＭＩ受信回路
４０４    第３のＯＳＤ付加回路
４０５    第４のＣＰＵ
５００    第１の増幅装置
５０１    第２の入力端子
５０２    第３のＥＤＩＤ
５０３    第３のＨＤＭＩ受信回路
５０４    第４のＯＳＤ付加回路
５０５    第５のＣＰＵ
５０６    第３のＨＤＭＩ送信回路
５０７    第２のオーディオアンプ
５０８    第２の出力端子
５０９    第４のリモコン
５１０    音声出力端子
５１１    第２のスピーカ
６００    第２の増幅装置
６０２    第４のＥＤＩＤ
６０３    第４のＨＤＭＩ受信回路
６０４    第４のＯＳＤ付加回路
６０５    第６のＣＰＵ
６０６    第４のＨＤＭＩ送信回路
７００    第３の再生装置
７０５    第５のＯＳＤ付加回路
７０６    第７のＣＰＵ
８００    第３の表示装置
８０２    第５のＥＤＩＤ
８０４    第６のＯＳＤ付加回路
８０５    第８のＣＰＵ
１０００    第１の映像システム
２０００    第２の映像システム
【図１】
0005430759.tif 000003
【図２Ａ】
0005430759.tif 000004
【図２Ｂ】
0005430759.tif 000005
【図３】
0005430759.tif 000006
【図４】
0005430759.tif 000007
【図５】
0005430759.tif 000008
【図６】
0005430759.tif 000009
【図７Ａ】
0005430759.tif 000010
【図７Ｂ】
0005430759.tif 000011
【図８】
0005430759.tif 000012
【図９】
0005430759.tif 000013
【図１０】
0005430759.tif 000014
【図１１Ａ】
0005430759.tif 000015
【図１１Ｂ】
0005430759.tif 000016
【図１１Ｃ】
0005430759.tif 000017
【図１２】
0005430759.tif 000018
【図１３】
0005430759.tif 000019
【図１４】
0005430759.tif 000020
【図１５】
0005430759.tif 000021
【図１６Ａ】
0005430759.tif 000022
【図１６Ｂ】
0005430759.tif 000023
【図１６Ｃ】
0005430759.tif 000024
【図１７】
0005430759.tif 000025
【図１８】
0005430759.tif 000026
【図１９】
0005430759.tif 000027
【図２０】
0005430759.tif 000028
【図２１Ａ】
0005430759.tif 000029
【図２１Ｂ】
0005430759.tif 000030
【図２２】
0005430759.tif 000031
【図２３】
0005430759.tif 000032